(57)【要約】【課題】少ない消費エネルギーで浴室などの室内空間の加熱および加湿を十分に行い、快適なサウナ環境を実現することができる空調システムを提供する。【解決手段】冷媒を圧縮する圧縮機２４と冷媒が放熱する利用側熱交換器２５と冷媒を膨張させる膨張機構２６と冷媒が吸熱する熱源側熱交換器２７とを順に配管接続した冷媒回路２３と、室内空間、例えば浴室４に開口した吸込口１６から空気を吸い込んで浴室４に開口した吹出口１７から空気を吹き出す循環ファン２０と、微細な水滴、すなわちミストを発生させるミスト発生器３０とを備え、熱源側熱交換器２７において冷媒が吸熱した熱を利用側熱交換器２５において循環ファン２０が送風する空気に対して放熱することによりヒートポンプを作動させて浴室４内を加熱するとともにミスト発生器３０において発生したミストを浴室４内に供給することにより浴室４内を加湿して高温高湿のサウナ環境を実現する。【選択図】図２
2008025963.tif 000002
【特許請求の範囲】
【請求項１】
冷媒を圧縮する圧縮機（２４）と冷媒が放熱する利用側熱交換器（２５）と冷媒を膨張させる膨張機構（２６）と冷媒が吸熱する熱源側熱交換器（２７）とを順に配管接続した冷媒回路（２３）と、室内空間、例えば浴室（４）に開口した吸込口（１６）から空気を吸い込んで前記浴室（４）に開口した吹出口（１７）から空気を吹き出す循環ファン（２０）と、微細な水滴、すなわちミストを発生させるミスト発生器（３０）を備え、前記熱源側熱交換器（２７）において冷媒が吸熱した熱を前記利用側熱交換器（２５）において循環ファン（２０）が送風する空気に対して放熱することにより前記浴室（４）内を加熱するとともに前記ミスト発生器（３０）において発生したミストを前記浴室（４）内に供給することにより前記浴室（４）内を加湿することを特徴とする、空調システム。
【請求項２】
冷媒の流れ方向を圧縮機（２４）、熱源側熱交換器（２７）、膨張機構（２６）、利用側熱交換器（２５）の順番に切り換える流路切換弁（２８）を備え、前記熱源側熱交換器（２７）において冷媒が放熱し、前記利用側熱交換器（２５）において循環ファン（２０）が送風する空気から冷媒が吸熱することによって前記浴室（４）内を冷却することを特徴とする、請求項１記載の空調システム。
【請求項３】
利用側熱交換器（２５）もしくは熱源側熱交換器（２７）の冷媒温度に基づいて流路切換弁（２８）を切り換えることを特徴とする、請求項２記載の空調システム。
【請求項４】
湯水を供給する加湿用給水管（３２、４３、４６）を備え、ミスト発生器（３０）を前記加湿用給水管（３２、４３、４６）から供給される湯水を微細化することによりミストを発生させる構成としたことを特徴とする、請求項１ないし３のいずれかに記載の空調システム。
【請求項５】
加湿用給水管（４３、４６）に供給する湯水を、深夜電力もしくはヒートポンプ式の給湯機で沸かされた湯としたことを特徴とする、請求項４記載の空調システム。
【請求項６】
加湿用給水管（３２）に供給する湯水を、常温の水道水としたことを特徴とする、請求項４記載の空調システム。
【請求項７】
加湿用給水管（３２、４６）に溜まっている残水を装置外部に排水する排水経路（３６、５２）を備えたことを特徴とする、請求項４ないし６のいずれかに記載の空調システム。
【請求項８】
ミスト発生器（３０）を、加湿用給水管（４３）から供給される湯水をノズル（４４）においてミスト状に微細化して浴室（４）内に直接噴霧する構成としたことを特徴とする、請求項４ないし７のいずれかに記載の空調システム。
【請求項９】
ミスト発生器（３０）を、加湿用給水管（４６）から供給される湯水をノズル（４７）においてミスト状に微細化し、循環ファン（２０）が送風する空気に微細化したミストを含ませて浴室（４）内に供給する構成としたことを特徴とする、請求項４ないし７のいずれかに記載の空調システム。
【請求項１０】
ミスト発生器（３０）を、加湿用給水管（４３）から供給される湯水をノズル（４４）においてミスト状に微細化して浴室（４）内に直接噴霧する加湿形態と、加湿用給水管（４６）から供給される湯水をノズル（４７）においてミスト状に微細化し、循環ファン（２０）が送風する空気に微細化したミストを含ませて浴室（４）内に供給する加湿形態とを複合させる、もしくは切り換える構成としたことを特徴とする、請求項４ないし７のいずれかに記載の空調システム。
【請求項１１】
ミスト発生器（３０）を、加湿用給水管（３２）から供給される湯水を超音波振動子（３３）においてミスト状に微細化し、循環ファン（２０）が送風する空気に微細化したミストを含ませて浴室（４）内に供給する構成としたことを特徴とする、請求項４ないし７のいずれかに記載の空調システム。
【請求項１２】
ミスト発生器（３０）を、加湿用給水管（４３）から供給される湯水をノズル（４４）においてミスト状に微細化して浴室（４）内に直接噴霧する加湿形態と、加湿用給水管（４６）から供給される湯水を超音波振動子（３３）においてミスト状に微細化し、循環ファン（２０）が送風する空気に微細化したミストを含ませて浴室（４）内に供給する加湿形態とを複合させる、もしくは切り換える構成としたことを特徴とする、請求項４ないし７のいずれかに記載の空調システム。
【請求項１３】
利用側熱交換器（２５）において冷媒と熱交換した後の空気にミスト発生器（３０）で発生させたミストを含ませる構成としたことを特徴とする、請求項９ないし１２のいずれかに記載の空調システム。
【請求項１４】
循環ファン（２０）が送風するミストを含んだ空気中から大粒のミストを除去するための気液分離器（３４）を備えたことを特徴とする、請求項９ないし１３のいずれかに記載の空調システム。
【請求項１５】
循環ファン（２０）が送風するミストを含んだ空気中から利用側熱交換器（２５）において大粒のミストを除去する構成としたことを特徴とする、請求項９ないし１３のいずれかに記載の空調システム。
【請求項１６】
気液分離器（３４）または利用側熱交換器（２５）おいて除去された大粒のミストを装置外部に排水するための排水経路（３６、５２）を備えたことを特徴とする、請求項１４または１５記載の空調システム。
【請求項１７】
加湿用給水管（３２、４６）に溜まっている残水を装置外部に排水する排水経路（３６、５２）を用いて気液分離器（３４）または利用側熱交換器（２５）で除去された大粒のミストを排水する構成としたことを特徴とする、請求項１４または１５記載の空調システム。
【請求項１８】
利用側熱交換器（２５）あるいは熱源側熱交換器（２７）に生じた結露水を排水経路（３６、５２）を通じて排水することを特徴とする、請求項７、１６または１７記載の空調システム。
【請求項１９】
浴室（４）とは異なる少なくとも一つ以上の室内空間、例えば脱衣室（５）やトイレ（６）に開口した排気口（９、１１）から空気を吸い込んで屋外に排出する換気ファン（１３）を備え、熱源側熱交換器（２７）を前記換気ファン（１３）が送風する空気に対して冷媒が吸熱または放熱する冷媒対空気熱交換器（２９）としたことを特徴とする、請求項１ないし１８のいずれかに記載の空調システム。
【請求項２０】
湯水を供給する熱源用給水管（４１）を備え、熱源側熱交換器（２７）を前記熱源用給水管（４１）から供給される湯水に対して冷媒が吸熱または放熱する冷媒対水熱交換器（３７）としたことを特徴とする、請求項１ないし１８のいずれかに記載の空調システム。
【請求項２１】
浴室（４）とは異なる少なくとも一つ以上の室内空間、例えば脱衣室（５）やトイレ（６）に開口した排気口（９、１１）から空気を吸い込んで屋外に排出する換気ファン（１３）と、前記換気ファン（１３）が送風する空気に対して冷媒が吸熱または放熱する冷媒対空気熱交換器（２９）と、湯水を供給する熱源用給水管（４１）と、前記熱源用給水管（４１）から供給される湯水に対して冷媒が吸熱または放熱する冷媒対水熱交換器（３７）を備え、前記冷媒対空気熱交換器（２９）と前記冷媒対水熱交換器（３７）を直列状態または並列状態となるように冷媒回路（２３）内に設け、熱源側熱交換器（２７）を、前記冷媒対空気熱交換器（２９）および前記冷媒対水熱交換器（３７）における吸熱もしくは放熱を複合させる或いは切り換える構成としたことを特徴とする、請求項１ないし１８のいずれかに記載の空調システム。
【請求項２２】
排気口（９、１１）に吸い込まれる空気を、浴室（４）以外の室内空間に設置された空調機（１５）によって空調された空調空気としたことを特徴とする、請求項１９または２１記載の空調システム。
【請求項２３】
浴室（４）と換気ファン（１３）の吸込側を連通する換気通路（２１）と、前記換気通路（２１）を開閉する開閉装置（２２）とを備え、前記浴室（４）の加熱、加湿および冷却を行う場合は前記開閉装置（２２）を閉鎖状態に設定し、前記浴室（４）の換気および乾燥を行う場合は前記開閉装置（２２）を開放状態に設定することを特徴とする、請求項１９、２１または２２記載の空調システム。
【請求項２４】
浴室（４）を乾燥する場合に、換気通路（２１）を通って屋外に排出される前記浴室（４）の空気からも冷媒対空気熱交換器（２９）において冷媒が吸熱することを特徴とする、請求項２３記載の空調システム。
【請求項２５】
換気通路（２１）の浴室（４）との連通部分を吸込口（１６）としたことを特徴とする、請求項２３または２４記載の空調システム。
【請求項２６】
冷媒対空気熱交換器（２９）に霜や氷が付着した場合に、ミスト発生器（３０）に供給される湯水を前記冷媒対空気熱交換器（２９）に対して噴霧する構成としたことを特徴とする、請求項１９、２１、２２、２３、２４または２５記載の空調システム。
【請求項２７】
気液分離器（３４）または利用側熱交換器（２５）おいて除去された大粒のミスト、または加湿用給水管（４６）に溜まっている残水を装置外部に排水するための排水経路（５２）を備え、冷媒対空気熱交換器（２９）に付着した霜や氷の除去に使用された湯水および霜や氷が溶けたドレン水を前記排水経路（５２）を通じて装置外部に排水する構成としたことを特徴とする請求項２６記載の空調システム。
【請求項２８】
熱源用給水管（４１）に供給する湯水を、深夜電力もしくはヒートポンプ式の給湯機で沸かされた湯としたことを特徴とする、請求項２０または２１記載の空調システム。
【請求項２９】
加湿用給水管（４３）を熱源用給水管（４１）から分岐させたことを特徴とする、請求項２０、２１または２８記載の空調システム。
【請求項３０】
熱源用給水管（４１）を通じて冷媒対水熱交換器（３７）に供給されて冷媒と熱交換した後の湯水を加湿用給水管（４６）を通じてミスト発生器（３０）に供給するようにしたことを特徴とする、請求項２０、２１または２８記載の空調システム。
【請求項３１】
利用側熱交換器（２５）あるいは冷媒対空気熱交換器（２９）に生じた結露水を装置外部に排水する排水経路（５２）を備え、冷媒対水熱交換器（３７）において冷媒との熱交換をした後の湯水を前記排水経路（５２）を通じて装置外部に排水することを特徴とする、請求項２０、２１、２８、２９または３０記載の空調システム。
【発明の詳細な説明】
【技術分野】
【０００１】
本発明は、室内空間を空調する空調システムに関し、更に詳しくは、浴室などの室内空間を加熱および加湿することによりサウナ環境を実現する空調システムに関する。
【背景技術】
【０００２】
従来のサウナ環境を実現する空調システムとしては、ガスボイラなどの熱源機で沸かした温水を循環させ、この温水と浴室内の空気とを熱交換することにより浴室内を加熱するとともに、加湿用の給水経路から供給される給水を熱源機からの温水で加熱してミスト状に噴霧することで浴室内を加湿して高温高湿のサウナ環境にするものがある（例えば、特許文献１参照）。
【０００３】
また、加湿用の給水経路からの給水をヒーターで加熱してスチームを発生させ、このスチームを浴室に供給することで浴室内を加湿するとともに浴室の空気を温風用ヒーターで加熱することにより浴室内を加熱して高温高湿のサウナ環境にするものもある（例えば、特許文献２参照）。
【特許文献１】特開２００３−３３４２３０号公報（第４−７頁、第１−３図）
【特許文献２】特開２００３−２０７１７６号公報（第５−７頁、第２−９図）
【発明の開示】
【発明が解決しようとする課題】
【０００４】
以上のように高温高湿のサウナ環境を実現する空調システムは、既に種々の形態が提案されているが、特許文献１に例示される空調システムは、熱源機で沸かした温水を利用して浴室の加熱と加湿を行うため、熱源でのガス使用量が多く省エネルギーが図れないという課題があった。
【０００５】
また、特許文献２に例示される空調システムは、電気ヒーターを利用して浴室内の加熱および加湿を行うため、通常の電気容量、例えば３ｋＷ未満で空調する場合は、十分な高温高湿環境が得られず快適性が損なわれるという課題があった。
【０００６】
本発明は上記従来の課題を解決するものであり、ヒートポンプを利用し、少ない消費エネルギーで浴室などの室内空間の加熱および加湿を十分に行い、快適なサウナ環境を実現することができる空調システムを提供することを目的としている。
【課題を解決するための手段】
【０００７】
本発明の空調システムは上記目的を達成するために、冷媒を圧縮する圧縮機（２４）と冷媒が放熱する利用側熱交換器（２５）と冷媒を膨張させる膨張機構（２６）と冷媒が吸熱する熱源側熱交換器（２７）とを順に配管接続した冷媒回路（２３）と、浴室（４）に開口した吸込口（１６）から空気を吸い込んで前記浴室（４）に開口した吹出口（１７）から空気を吹き出す循環ファン（２０）と、微細な水滴、すなわちミストを発生させるミスト発生器（３０）を備え、前記熱源側熱交換器（２７）において冷媒が吸熱した熱を前記利用側熱交換器（２５）において循環ファン（２０）が送風する空気に対して放熱することにより前記浴室（４）内を加熱するとともに前記ミスト発生器（３０）において発生したミストを前記浴室（４）内に供給することにより前記浴室（４）内を加湿するものである。
【０００８】
また、第２の課題解決手段は、冷媒の流れ方向を圧縮機（２４）、熱源側熱交換器（２７）、膨張機構（２６）、利用側熱交換器（２５）の順番に切り換える流路切換弁（２８）を備え、前記熱源側熱交換器（２７）において冷媒が放熱し、前記利用側熱交換器（２５）において循環ファン（２０）が送風する空気から冷媒が吸熱することによって前記浴室（４）内を冷却するものである。
【０００９】
また、第３の課題解決手段は、利用側熱交換器（２５）もしくは熱源側熱交換器（２７）の冷媒温度に基づいて流路切換弁（２８）を切り換えるものである。
【００１０】
また、第４の課題解決手段は、湯水を供給する加湿用給水管（３２、４３、４６）を備え、ミスト発生器（３０）を前記加湿用給水管（３２、４３、４６）から供給される湯水を微細化することによりミストを発生させる構成としたものである。
【００１１】
また、第５の課題解決手段は、加湿用給水管（４３、４６）に供給する湯水を、深夜電力もしくはヒートポンプ式の給湯機で沸かされた湯としたものである。
【００１２】
また、第６の課題解決手段は、加湿用給水管（３２）に供給する湯水を、常温の水道水としたものである。
【００１３】
また、第７の課題解決手段は、加湿用給水管（３２、４６）に溜まっている残水を装置外部に排水する排水経路（３６、５２）を備えたものである。
【００１４】
また、第８の課題解決手段は、ミスト発生器（３０）を、加湿用給水管（４３）から供給される湯水をノズル（４４）においてミスト状に微細化して浴室（４）内に直接噴霧する構成としたものである。
【００１５】
また、第９の課題解決手段は、ミスト発生器（３０）を、加湿用給水管（４６）から供給される湯水をノズル（４７）においてミスト状に微細化し、循環ファン（２０）が送風する空気に微細化したミストを含ませて浴室（４）内に供給する構成としたものである。
【００１６】
また、第１０の課題解決手段は、ミスト発生器（３０）を、加湿用給水管（４３）から供給される湯水をノズル（４４）においてミスト状に微細化して浴室（４）内に直接噴霧する加湿形態と、加湿用給水管（４６）から供給される湯水をノズル（４７）においてミスト状に微細化し、循環ファン（２０）が送風する空気に微細化したミストを含ませて浴室（４）内に供給する加湿形態とを複合させる、もしくは切り換える構成としたものである。
【００１７】
また、第１１の課題解決手段は、ミスト発生器（３０）を、加湿用給水管（３２）から供給される湯水を超音波振動子（３３）においてミスト状に微細化し、循環ファン（２０）が送風する空気に微細化したミストを含ませて浴室（４）内に供給する構成としたものである。
【００１８】
また、第１２の課題解決手段は、ミスト発生器（３０）を、加湿用給水管（４３）から供給される湯水をノズル（４４）においてミスト状に微細化して浴室（４）内に直接噴霧する加湿形態と、加湿用給水管（４６）から供給される湯水を超音波振動子（３３）においてミスト状に微細化し、循環ファン（２０）が送風する空気に微細化したミストを含ませて浴室（４）内に供給する加湿形態とを複合させる、もしくは切り換える構成としたものである。
【００１９】
また、第１３の課題解決手段は、利用側熱交換器（２５）において冷媒と熱交換した後の空気にミスト発生器（３０）で発生させたミストを含ませる構成としたものである。
【００２０】
また、第１４の課題解決手段は、循環ファン（２０）が送風するミストを含んだ空気中から大粒のミストを除去するための気液分離器（３４）を備えたものである。
【００２１】
また、第１５の課題解決手段は、循環ファン（２０）が送風するミストを含んだ空気中から利用側熱交換器（２５）において大粒のミストを除去する構成としたものである。
【００２２】
また、第１６の課題解決手段は、気液分離器（３４）または利用側熱交換器（２５）おいて除去された大粒のミストを装置外部に排水するための排水経路（３６、５２）を備えたものである。
【００２３】
また、第１７の課題解決手段は、加湿用給水管（３２、４６）に溜まっている残水を装置外部に排水する排水経路（３６、５２）を用いて気液分離器（３４）または利用側熱交換器（２５）で除去された大粒のミストを排水する構成としたものである。
【００２４】
また、第１８の課題解決手段は、利用側熱交換器（２５）あるいは熱源側熱交換器（２７）に生じた結露水を排水経路（３６、５２）を通じて排水するものである。
【００２５】
また、第１９の課題解決手段は、浴室（４）とは異なる少なくとも一つ以上の室内空間、例えば脱衣室（５）やトイレ（６）に開口した排気口（９、１１）から空気を吸い込んで屋外に排出する換気ファン（１３）を備え、熱源側熱交換器（２７）を前記換気ファン（１３）が送風する空気に対して冷媒が吸熱または放熱する冷媒対空気熱交換器（２９）としたものである。
【００２６】
また、第２０の課題解決手段は、湯水を供給する熱源用給水管（４１）を備え、熱源側熱交換器（２７）を前記熱源用給水管（４１）から供給される湯水に対して冷媒が吸熱または放熱する冷媒対水熱交換器（３７）としたものである。
【００２７】
また、第２１の課題解決手段は、浴室（４）とは異なる少なくとも一つ以上の室内空間、例えば脱衣室（５）やトイレ（６）に開口した排気口（９、１１）から空気を吸い込んで屋外に排出する換気ファン（１３）と、前記換気ファン（１３）が送風する空気に対して冷媒が吸熱または放熱する冷媒対空気熱交換器（２９）と、湯水を供給する熱源用給水管（４１）と、前記熱源用給水管（４１）から供給される湯水に対して冷媒が吸熱または放熱する冷媒対水熱交換器（３７）を備え、前記冷媒対空気熱交換器（２９）と前記冷媒対水熱交換器（３７）を直列状態または並列状態となるように冷媒回路（２３）内に設け、熱源側熱交換器（２７）を、前記冷媒対空気熱交換器（２９）および前記冷媒対水熱交換器（３７）における吸熱もしくは放熱を複合させる或いは切り換える構成としたものである。
【００２８】
また、第２２の課題解決手段は、排気口（９、１１）に吸い込まれる空気を、浴室（４）以外の室内空間に設置された空調機（１５）によって空調された空調空気としたものである。
【００２９】
また、第２３の課題解決手段は、浴室（４）と換気ファン（１３）の吸込側を連通する換気通路（２１）と、前記換気通路（２１）を開閉する開閉装置（２２）とを備え、前記浴室（４）の加熱、加湿および冷却を行う場合は前記開閉装置（２２）を閉鎖状態に設定し、前記浴室（４）の換気および乾燥を行う場合は前記開閉装置（２２）を開放状態に設定するものである。
【００３０】
また、第２４の課題解決手段は、浴室（４）を乾燥する場合に、換気通路（２１）を通って屋外に排出される前記浴室（４）の空気からも冷媒対空気熱交換器（２９）において冷媒が吸熱するものである。
【００３１】
また、第２５の課題解決手段は、換気通路（２１）の浴室（４）との連通部分を吸込口（１６）としたものである。
【００３２】
また、第２６の課題解決手段は、冷媒対空気熱交換器（２９）に霜や氷が付着した場合に、ミスト発生器（３０）に供給される湯水を前記冷媒対空気熱交換器（２９）に対して噴霧する構成としたものである。
【００３３】
また、第２７の課題解決手段は、気液分離器（３４）または利用側熱交換器（２５）おいて除去された大粒のミスト、または加湿用給水管（４６）に溜まっている残水を装置外部に排水するための排水経路（５２）を備え、冷媒対空気熱交換器（２９）に付着した霜や氷の除去に使用された湯水および霜や氷が溶けたドレン水を前記排水経路（５２）を通じて装置外部に排水する構成としたものである。
【００３４】
また、第２８の課題解決手段は、熱源用給水管（４１）に供給する湯水を、深夜電力もしくはヒートポンプ式の給湯機で沸かされた湯としたものである。
【００３５】
また、第２９の課題解決手段は、加湿用給水管（４３）を熱源用給水管（４１）から分岐させたものである。
【００３６】
また、第３０の課題解決手段は、熱源用給水管（４１）を通じて冷媒対水熱交換器（３７）に供給されて冷媒と熱交換した後の湯水を加湿用給水管（４６）を通じてミスト発生器（３０）に供給するようにしたものである。
【００３７】
また、第３１の課題解決手段は、利用側熱交換器（２５）あるいは冷媒対空気熱交換器（２９）に生じた結露水を装置外部に排水する排水経路（５２）を備え、冷媒対水熱交換器（３７）において冷媒との熱交換をした後の湯水を前記排水経路（５２）を通じて装置外部に排水するものである。
【発明の効果】
【００３８】
本発明の空調システムによれば、ヒートポンプを利用し、少ない消費エネルギーで浴室などの室内空間の加熱および加湿を十分に行い、快適なサウナ環境を実現することができる。
【００３９】
そして、請求項１記載の発明によれば、熱源側熱交換器（２７）において冷媒が吸熱した熱を利用側熱交換器（２５）において循環ファン（２０）により循環する浴室（４）の空気に放熱することによりヒートポンプを動作させて浴室（４）内の加熱を行うとともに、ミスト発生器（３０）で発生させた微細な水滴、すなわちミストを浴室（４）内に供給することにより、少ない消費電力で浴室（４）内を加熱および加湿して快適なサウナ環境を実現することができるという効果のある空調システムを提供できる。
【００４０】
また、請求項２記載の発明によれば、熱源側熱交換器（２７）において冷媒を放熱させるとともに利用側熱交換器（２５）において循環ファン（２０）が送風する空気から冷媒が吸熱することによりヒートポンプを動作させて浴室（４）内を冷却することができるという効果のある空調システムを提供できる。
【００４１】
また、請求項３記載の発明によれば、利用側熱交換器（２５）もしくは熱源側熱交換器（２７）に霜や氷が付着した場合に冷媒温度に基づいて流路切換弁（２８）を切り換えることにより、付着した霜の除去を行うことができるという効果のある空調システムを提供できる。
【００４２】
また、請求項４記載の発明によれば、ミスト発生器（３０）に加湿用給水配管（３２、４３、４６）を通じて湯水を供給してミストを発生させる構成とすることにより、水の供給を自動化して給水作業を省略することができるという効果のある空調システムを提供できる。
【００４３】
また、請求項５記載の発明によれば、深夜電力もしくはヒートポンプ式の給湯機で沸かされた湯を加湿用給水管（４３、４６）を通じてミスト発生器（３０）に供給することにより、加湿に係るランニングコストを低減することができるという効果のある空調システムを提供できる。
【００４４】
また、請求項６記載の発明によれば、常温の水道水を加湿用給水管（３２）を通じてミスト発生器（３０）に供給することにより、加湿用の熱源を不要にしてイニシャルコストを低減することができるという効果のある空調システムを提供できる。
【００４５】
また、請求項７記載の発明によれば、排水経路（３６、５２）を通じて加湿用給水管（３２、４６）に溜まっている残水を排水することにより、残水に発生した菌の飛散を防止することができるという効果のある空調システムを提供できる。
【００４６】
また、請求項８記載の発明によれば、加湿用給水管（４３）から供給される湯水をノズル（４４）においてミスト状に微細化し浴室（４）内に直接噴霧することにより、供給される湯水の全量を浴室（４）内に供給して加湿スピードを速めることができるという効果のある空調システムを提供できる。
【００４７】
また、請求項９記載の発明によれば、加湿用給水管（４６）から供給される湯水をノズル（４７）においてミスト状に微細化し、循環ファン（２０）が送風する空気に含ませて浴室（４）に供給することにより、浴室（４）内に満遍なくミストを供給することができるという効果のある空調システムを提供できる。
【００４８】
また、請求項１０記載の発明によれば、加湿用給水管（４３）から供給される湯水をノズル（４４）においてミスト状に微細化し浴室（４）内に直接噴霧する加湿形態と、加湿用給水管（４６）から供給される湯水をノズル（４７）においてミスト状に微細化し、循環ファン（２０）が送風する空気に含ませて浴室（４）に供給する加湿形態を融合もしくは切り換えることにより、加湿スピードを速めるとともに浴室（４）内に満遍なくミストを供給することができるという効果のある空調システムを提供できる。
【００４９】
また、請求項１１記載の発明によれば、加湿用給水管（３２）から供給される湯水を超音波振動子（３３）においてミスト状に微細化し、循環ファン（２０）が送風する空気に含ませて浴室（４）に供給することにより、少ない使用水量でミストを浴室（４）内に満遍なく供給することができるという効果のある空調システムを提供できる。
【００５０】
また、請求項１２記載の発明によれば、加湿用給水管（４３）から供給される湯水をノズル（４４）においてミスト状に微細化し浴室（４）内に直接噴霧する加湿形態と、加湿用給水管（４６）から供給される湯水を超音波振動子（３３）においてミスト状に微細化し、循環ファン（２０）が送風する空気に含ませて浴室（４）に供給する加湿形態を融合もしくは切り換えることにより、加湿スピードを速めるとともに少ない使用水量でミストを浴室（４）内に満遍なく供給することができるという効果のある空調システムを提供できる。
【００５１】
また、請求項１３記載の発明によれば、利用側熱交換器（２５）において冷媒と熱交換して加熱された空気にミスト発生器（３０）で発生させたミストを含ませることにより、ミスト含有量が増加して加湿スピードを速めることができるという効果のある空調システムを提供できる。
【００５２】
また、請求項１４記載の発明によれば、気液分離器（３４）において循環ファン（２０）が送風する空気中に含まれた大粒のミストを除去することにより、水滴感を減らして快適性を高めることができるという効果のある空調システムを提供できる。
【００５３】
また、請求項１５記載の発明によれば、利用側熱交換器（２５）において循環ファン（２０）が送風する空気中に含まれた大粒のミストを除去することにより、気液分離器を新たに設けることなく水滴感を減らして快適性を高めることができるという効果のある空調システムを提供できる。
【００５４】
また、請求項１６記載の発明によれば、排水経路（３６、５２）を通じて気液分離器（３４）または利用側熱交換器（２５）において除去された大粒のミストを装置外部に排水することにより、水滴残留に伴う菌や臭いの発生を抑制することができるという効果のある空調システムを提供できる。
【００５５】
また、請求項１７記載の発明によれば、気液分離器（３４）または利用側熱交換器（２５）において除去された大粒のミストを、加湿用給水管（３２、４６）に溜まっている残水を装置外部に排水する排水経路（３６、５２）を利用して排水することにより、分離水滴用の排水経路を新たに設けることなく円滑に排水処理をすることができるという効果のある空調システムを提供できる。
【００５６】
また、請求項１８記載の発明によれば、気液分離した大粒のミストや加湿給水管（３２、４６）の残水を排水する排水経路（３６、５２）を利用して利用側熱交換器（２５）あるいは熱源側熱交換器（２７）に生じた結露水を排水することにより、結露水用の排水経路を新たに設けることなく円滑に排水処理をすることができるという効果のある空調システムを提供できる。
【００５７】
また、請求項１９記載の発明によれば、冷媒対空気熱交換器（２９）において換気ファン（１３）により屋外に排出される浴室（４）以外の室内空間の空気に対して冷媒が吸熱（または放熱）するとともに利用側熱交換器（２５）において循環ファン（２０）が送風する空気に対して冷媒が放熱（または吸熱）することによりヒートポンプを動作させて浴室（４）内を加熱もしくは冷却することができるという効果のある空調システムを提供できる。
【００５８】
また、請求項２０記載の発明によれば、冷媒対水熱交換器（３７）において熱源用給水管（４１）から供給される湯水に対して冷媒が吸熱（または放熱）するとともに利用側熱交換器（２５）において循環ファン（２０）が送風する空気に対して冷媒が放熱（または吸熱）することによりヒートポンプを動作させて浴室（４）内を加熱もしくは冷却することができるという効果のある空調システムを提供できる。
【００５９】
また、請求項２１記載の発明によれば、換気ファン（１３）により屋外に排出される浴室（４）以外の室内空間の空気に対して冷媒が吸熱または放熱する冷媒対空気熱交換器（２９）と、熱源用給水管（４１）から供給される湯水に対して冷媒が吸熱または放熱する冷媒対水熱交換器（３７）を直列状態または並列状態となるように冷媒回路（２３）内に設け、冷媒対空気熱交換器（２９）と冷媒対水熱交換器（３７）における吸熱（または放熱）を複合あるいは切り換えることにより、換気ファン（１３）が送風する空気と熱源用給水管（４１）から供給される湯水の双方あるいは何れか一方を熱源としてヒートポンプを動作させて浴室（４）内を加熱もしくは冷却することができるという効果のある空調システムを提供できる。
【００６０】
また、請求項２２記載の発明によれば、浴室（４）以外の室内空間に設置された空調機（１５）によって空調された空調空気を排気口（９、１１）から吸い込んで冷媒対空気熱交換器（２９）に供給することにより、浴室（４）以外で発生した空調機（１５）の熱エネルギーを浴室（４）の空調に利用することができるという効果のある空調システムを提供できる。
【００６１】
また、請求項２３記載の発明によれば、浴室（４）の加熱、加湿および冷却を行う場合は、浴室（４）に連通した換気通路（２１）に設けた開閉装置（２２）を閉鎖状態に設定して空調空気を排出せずに効率良く浴室（４）を空調し、また、浴室（４）の換気や乾燥を行う場合は開閉装置（２２）を開放状態に設定して浴室（４）の空気を速やかに屋外に排出するような切換動作を実行することができるという効果のある空調システムを提供できる。
【００６２】
また、請求項２４記載の発明によれば、浴室（４）を乾燥する場合に、換気通路（２１）を通って屋外に排出される浴室（４）の空気から冷媒が吸熱することにより、利用側熱交換器（２５）において浴室（４）の空気に放熱された熱を冷媒対空気熱交換器（２９）において回収し乾燥効率の向上を図ることができるという効果のある空調システムを提供できる。
【００６３】
また、請求項２５記載の発明によれば、換気通路（２１）の浴室（４）との連通部分を吸込口（１６）とすることにより、吸込み空気中の塵埃を除去するフィルターを共用化して装置構成の簡素化を図ることができるという効果のある空調システムを提供できる。
【００６４】
また、請求項２６記載の発明によれば、ミスト発生器（３０）に供給される湯水を冷媒対空気熱交換器（２９）に噴霧することにより冷媒対空気熱交換器（２９）に付着した霜や氷を除去することができるという効果のある空調システムを提供できる。
【００６５】
また、請求項２７記載の発明によれば、利用側熱交換器（２５）または冷媒対空気熱交換器（２９）の霜や氷の除去に使用された給水および霜や氷が溶けたドレン水を、気液分離器（３４）または利用側熱交換器（２５）において除去された大粒のミスト、または加湿用給水管（４６）に溜まっている残水を装置外部に排水するための排水経路（５２）を利用して装置外部に排水することにより、給水およびドレン水用の排水経路を新たに設けることなく円滑に排水を処理することができるという効果のある空調システムを提供できる。
【００６６】
また、請求項２８記載の発明によれば、深夜電力もしくはヒートポンプ式の給湯機で沸かされた湯を熱源用給水管（４１）を通じて冷媒対水熱交換器（３７）に供給することにより、加熱に係るランニングコストを低減することができるという効果のある空調システムを提供できる。
【００６７】
また、請求項２９記載の発明によれば、加湿用給水管（４３）を熱源用給水管（４１）から分岐させることにより、外部からの給水管の接続を一本化して施工を容易に行うことができるという効果のある空調システムを提供できる。
【００６８】
また、請求項３０記載の発明によれば、冷媒対水熱交換器（３７）において冷媒と熱交換した後の湯水をミスト発生器（３０）に供給することにより、冷媒対水熱交換器（３７）での余熱を加湿に有効利用し、熱利用率を高めることができるという効果のある空調システムを提供できる。
【００６９】
また、請求項３１記載の発明によれば、冷媒対水熱交換器（３７）において冷媒との熱交換をした後の湯水を利用側熱交換器（２５）あるいは冷媒対空気熱交換器（２９）に生じた結露水を装置外部に排水する排水経路（５２）を利用して装置外部に排水することにより、冷媒対水熱交換器（３７）用の排水経路を新たに設けることなく円滑に排水を処理することができるという効果のある空調システムを提供できる。
【発明を実施するための最良の形態】
【００７０】
本発明の請求項１記載の発明は、熱源側熱交換器（２７）において冷媒が吸熱した熱を利用側熱交換器（２５）において循環ファン（２０）により循環する浴室（４）の空気に放熱することによりヒートポンプを動作させて浴室（４）内の加熱を行うとともに、ミスト発生器（３０）で発生させた微細な水滴、すなわちミストを浴室（４）内に供給することにより、少ない消費電力で浴室（４）内を加熱および加湿して快適なサウナ環境を実現するという作用を有する。
【００７１】
また、請求項２記載の発明は、熱源側熱交換器（２７）において冷媒を放熱させるとともに利用側熱交換器（２５）において循環ファン（２０）が送風する空気から冷媒が吸熱することによりヒートポンプを動作させて浴室（４）内を冷却するという作用を有する。
【００７２】
また、請求項３記載の発明は、利用側熱交換器（２５）もしくは熱源側熱交換器（２７）に霜や氷が付着した場合に冷媒温度に基づいて流路切換弁（２８）を切り換えることにより、付着した霜の除去を行うという作用を有する。
【００７３】
また、請求項４記載の発明は、ミスト発生器（３０）に加湿用給水配管（３２、４３、４６）を通じて湯水を供給してミストを発生させる構成とすることにより、水の供給を自動化して給水作業を省略するという作用を有する。
【００７４】
また、請求項５記載の発明は、深夜電力もしくはヒートポンプ式の給湯機で沸かされた湯を加湿用給水管（４３、４６）を通じてミスト発生器（３０）に供給することにより、加湿に係るランニングコストを低減するという作用を有する。
【００７５】
また、請求項６記載の発明は、常温の水道水を加湿用給水管（３２）を通じてミスト発生器（３０）に供給することにより、加湿用の熱源を不要にしてイニシャルコストを低減するという作用を有する。
【００７６】
また、請求項７記載の発明は、排水経路（３６、５２）を通じて加湿用給水管（３２、４６）に溜まっている残水を排水することにより、残水に発生した菌の飛散を防止するという作用を有する。
【００７７】
また、請求項８記載の発明は、加湿用給水管（４３）から供給される湯水をノズル（４４）においてミスト状に微細化し浴室（４）内に直接噴霧することにより、供給される湯水の全量を浴室（４）内に供給して加湿スピードを速めるという作用を有する。
【００７８】
また、請求項９記載の発明は、加湿用給水管（４６）から供給される湯水をノズル（４７）においてミスト状に微細化し、循環ファン（２０）が送風する空気に含ませて浴室（４）に供給することにより、浴室（４）内に満遍なくミストを供給するという作用を有する。
【００７９】
また、請求項１０記載の発明は、加湿用給水管（４３）から供給される湯水をノズル（４４）においてミスト状に微細化し浴室（４）内に直接噴霧する加湿形態と、加湿用給水管（４６）から供給される湯水をノズル（４７）においてミスト状に微細化し、循環ファン（２０）が送風する空気に含ませて浴室（４）に供給する加湿形態を融合もしくは切り換えることにより、加湿スピードを速めるとともに浴室（４）内に満遍なくミストを供給するという作用を有する。
【００８０】
また、請求項１１記載の発明は、加湿用給水管（３２）から供給される湯水を超音波振動子（３３）においてミスト状に微細化し、循環ファン（２０）が送風する空気に含ませて浴室（４）に供給することにより、少ない使用水量でミストを浴室（４）内に満遍なく供給するという作用を有する。
【００８１】
また、請求項１２記載の発明は、加湿用給水管（４３）から供給される湯水をノズル（４４）においてミスト状に微細化し浴室（４）内に直接噴霧する加湿形態と、加湿用給水管（４６）から供給される湯水を超音波振動子（３３）においてミスト状に微細化し、循環ファン（２０）が送風する空気に含ませて浴室（４）に供給する加湿形態を融合もしくは切り換えることにより、加湿スピードを速めるとともに少ない使用水量でミストを浴室（４）内に満遍なく供給するという作用を有する。
【００８２】
また、請求項１３記載の発明は、利用側熱交換器（２５）において冷媒と熱交換して加熱された空気にミスト発生器（３０）で発生させたミストを含ませることにより、ミスト含有量が増加して加湿スピードを速めるという作用を有する。
【００８３】
また、請求項１４記載の発明は、気液分離器（３４）において循環ファン（２０）が送風する空気中に含まれた大粒のミストを除去することにより、水滴感を減らして快適性を高めるという作用を有する。
【００８４】
また、請求項１５記載の発明は、利用側熱交換器（２５）において循環ファン（２０）が送風する空気中に含まれた大粒のミストを除去することにより、気液分離器を新たに設けることなく水滴感を減らして快適性を高めるという作用を有する。
【００８５】
また、請求項１６記載の発明は、排水経路（３６、５２）を通じて気液分離器（３４）または利用側熱交換器（２５）により除去された大粒のミストを装置外部に排水することにより、水滴残留に伴う菌や臭いの発生を抑制するという作用を有する。
【００８６】
また、請求項１７記載の発明は、気液分離器（３４）または利用側熱交換器（２５）において除去された大粒のミストを、加湿用給水管（３２、４６）に溜まっている残水を装置外部に排水する排水経路（３６、５２）を利用して排水することにより、分離水滴用の排水経路を新たに設けることなく円滑に排水処理をするという作用を有する。
【００８７】
また、請求項１８記載の発明は、気液分離した大粒のミストや加湿給水管（３２、４６）の残水を排水する排水経路（３６、５２）を利用して利用側熱交換器（２５）あるいは熱源側熱交換器（２７）に生じた結露水を排水することにより、結露水用の排水経路を新たに設けることなく円滑に排水処理をするという作用を有する。
【００８８】
また、請求項１９記載の発明は、冷媒対空気熱交換器（２９）において換気ファン（１３）により屋外に排出される浴室（４）以外の室内空間の空気に対して冷媒が吸熱（または放熱）するとともに利用側熱交換器（２５）において循環ファン（２０）が送風する空気に対して冷媒が放熱（または吸熱）することによりヒートポンプを動作させて浴室（４）内を加熱もしくは冷却するという作用を有する。
【００８９】
また、請求項２０記載の発明は、冷媒対水熱交換器（３７）において熱源用給水管（４１）から供給される湯水に対して冷媒が吸熱（または放熱）するとともに利用側熱交換器（２５）において循環ファン（２０）が送風する空気に対して冷媒が放熱（または吸熱）することによりヒートポンプを動作させて浴室（４）内を加熱もしくは冷却するという作用を有する。
【００９０】
また、請求項２１記載の発明は、換気ファン（１３）により屋外に排出される浴室（４）以外の室内空間の空気に対して冷媒が吸熱または放熱する冷媒対空気熱交換器（２９）と、熱源用給水管（４１）から供給される湯水に対して冷媒が吸熱または放熱する冷媒対水熱交換器（３７）を直列状態または並列状態となるように冷媒回路（２３）内に設け、冷媒対空気熱交換器（２９）と冷媒対水熱交換器（３７）における吸熱（または放熱）を複合あるいは切り換えることにより、換気ファン（１３）が送風する空気と熱源用給水管（４１）から供給される湯水の双方あるいは何れか一方を熱源としてヒートポンプを動作させて浴室（４）内を加熱もしくは冷却するという作用を有する。
【００９１】
また、請求項２２記載の発明は、浴室（４）以外の室内空間に設置された空調機（１５）によって空調された空調空気を排気口（９、１１）から吸い込んで冷媒対空気熱交換器（２９）に供給することにより、浴室（４）以外で発生した空調機（１５）の熱エネルギーを浴室（４）の空調に利用するという作用を有する。
【００９２】
また、請求項２３記載の発明は、浴室（４）の加熱、加湿および冷却を行う場合は、浴室（４）に連通した換気通路（２１）に設けた開閉装置（２２）を閉鎖状態に設定して空調空気を排出せずに効率良く浴室（４）を空調し、また、浴室（４）の換気や乾燥を行う場合は開閉装置（２２）を開放状態に設定して浴室（４）の空気を速やかに屋外に排出するような切換動作を実行するという作用を有する。
【００９３】
また、請求項２４記載の発明は、浴室（４）を乾燥する場合に、換気通路（２１）を通って屋外に排出される浴室（４）の空気から冷媒が吸熱することにより、利用側熱交換器（２５）において浴室（４）の空気に放熱された熱を冷媒対空気熱交換器（２９）において回収し乾燥効率の向上を図るという作用を有する。
【００９４】
また、請求項２５記載の発明は、換気通路（２１）の浴室（４）との連通部分を吸込口（１６）とすることにより、吸込み空気中の塵埃を除去するフィルターを共用化して装置構成の簡素化を図るという作用を有する。
【００９５】
また、請求項２６記載の発明は、ミスト発生器（３０）に供給される湯水を冷媒対空気熱交換器（２９）に噴霧することにより冷媒対空気熱交換器（２９）に付着した霜や氷を除去するという作用を有する。
【００９６】
また、請求項２７記載の発明は、利用側熱交換器（２５）または冷媒対空気熱交換器（２９）の霜や氷の除去に使用された給水および霜や氷が溶けたドレン水を、気液分離器（３４）または利用側熱交換器（２５）において除去された大粒のミスト、または加湿用給水管（４６）に溜まっている残水を装置外部に排水するための排水経路（５２）を利用して装置外部に排水することにより、給水およびドレン水用の排水経路を新たに設けることなく円滑に排水を処理するという作用を有する。
【００９７】
また、請求項２８記載の発明は、深夜電力もしくはヒートポンプ式の給湯機で沸かされた湯を熱源用給水管（４１）を通じて冷媒対水熱交換器（３７）に供給することにより、加熱に係るランニングコストを低減するという作用を有する。
【００９８】
また、請求項２９記載の発明は、加湿用給水管（４３）を熱源用給水管（４１）から分岐させることにより、外部からの給水管の接続を一本化して施工を容易に行うという作用を有する。
【００９９】
また、請求項３０記載の発明は、冷媒対水熱交換器（３７）において冷媒と熱交換した後の湯水をミスト発生器（３０）に供給することにより、冷媒対水熱交換器（３７）での余熱を加湿に有効利用し、熱利用率を高めるという作用を有する。
【０１００】
また、請求項３１記載の発明は、冷媒対水熱交換器（３７）において冷媒との熱交換をした後の湯水を利用側熱交換器（２５）あるいは冷媒対空気熱交換器（２９）に生じた結露水を装置外部に排水する排水経路（５２）を利用して装置外部に排水することにより、冷媒対水熱交換器（３７）用の排水経路を新たに設けることなく円滑に排水を処理するという作用を有する。
【０１０１】
以下、本発明の実施の形態について図面を参照しながら説明する。
【０１０２】
（実施の形態１）
図１は、本発明の実施形態１にかかる空調システムが設置される居住空間の見取り図である。図１において、居住空間１は、リビング２、寝室３、浴室４、脱衣室５、トイレ６などに区画されており、浴室４の天井裏には、空調システムの本体７が設置されている。この本体７には、本体７と屋外を連通する排気ダクト８、脱衣室５の天井に開口した排気口９と本体７とを連通する排気ダクト１０およびトイレ６の天井に開口した排気口１１と本体７とを連通する排気ダクト１２が接続されている。また、本体７内部には換気ファン１３が配設されており、屋外と本体７を連通する排気ダクト８は換気ファン１３の吹出側に接続され、脱衣室５と本体７を連通する排気ダクト１０およびトイレ６と本体７を連通する排気ダクト１２は換気ファン１３の吸込側に接続されている。したがって換気ファン１３を運転すると、排気口９および排気口１１から排気ダクト１０および排気ダクト１２を通じて脱衣室５およびトイレ６の空気が換気ファン１３に吸い込まれ、排気ダクト８を通じて屋外に排出される。そして換気ファン１３を連続運転すると居住空間１内が負圧になるため、リビング２の屋外に面した壁に開口した給気口１４から新鮮な外気が給気されて居住空間１が換気されることになる。この換気運転は建物の気密性が高い場合は連続して行う必要があるため（２４時間換気）、換気ファン１３は所定の換気量、例えば一時間で居住空間１の約半分の容積に相当する換気量を確保するように連続運転を行う。また、リビング２には部屋の温度をコントロールするための空調機１５が設置されており、夏場は冷房運転、冬場は暖房運転を行って室温を適正に保持している。したがって前述したように年間を通じて連続した換気運転を行っていると、夏場はリビング２において空調機１５で冷房された低温の空気、冬場は空調機１５で暖房された高温の空気が脱衣室５やトイレ６のドアに設けられたガラリやアンダーカットを通って排気口９および排気口１１に吸い込まれ、換気空調装置の本体７を介して屋外に排出されることになる。
【０１０３】
図２は、空調システムの風路構成図及び冷媒回路図であり、図に示すように浴室４の天井裏に空調システムの本体７が設置されており、本体７の底面に吸込口１６および吹出口１７を浴室４に対して開設するとともに吸込口１６に塵埃を捕捉するためのフィルター１８を着脱自在に配設している。また、本体７内部には吸込口１６と吹出口１７を連通する循環通路１９が形設されており、この循環通路１９内に吸込口１６から浴室４の空気を吸い込んで吹出口１７から吹き出す循環ファン２０が配設されている。また、本体７内部に吸込口１６と換気ファン１３の吸込側を連通する換気通路２１を形設しており、この換気通路２１に脱衣室５と連通している排気ダクト１０およびトイレ６と連通している排気ダクト１２を接続している。この換気通路２１内の吸込口１６と換気ファン１３の吸込側とを連通する通路中にはダンパー機構により通路の開閉動作を行う開閉装置２２が配設されており、この開閉装置２２を開放状態に設定して換気ファン１３を運転すると、排気ダクト１０および排気ダクト１２から空気が吸い込まれるとともに吸込口１６からも浴室４の空気が吸い込まれることになり、また、開閉装置２２を閉鎖状態に設定して換気ファン１３を運転すると主に排気ダクト１０および排気ダクト１２から脱衣室５およびトイレ６の空気が吸い込まれることになる。このようにして換気ファン１３に吸い込まれた空気は、換気ファン１３の吹出側に接続された排気ダクト８を通って屋外に排出されることになる。
【０１０４】
また、本体７内部には、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路２３を形設しており、この冷媒回路２３中に、冷媒を圧縮する圧縮機２４、循環通路１９内に配設された利用側熱交換器２５、冷媒を膨張させる電子式膨張弁やキャピラリチューブなどからなる膨張機構２６、換気通路２１内の換気ファン１３の吸込側に配設された熱源側熱交換器２７を介在している。また、この冷媒回路２３には、圧縮機２４で圧縮された冷媒が利用側熱交換器２５、膨張機構２６、第二熱交熱交換器２７の順に流れて再び圧縮機２４に戻る経路（以下、暖房サイクル）と、圧縮機２４で圧縮された冷媒が熱源側熱交換器２７、膨張機構２６、第一熱交熱交換器２５の順に流れて再び圧縮機２４に戻る経路（以下、冷房サイクル）とを切り換えるための流路切換弁２８を介設している。また、利用側熱交換器２５は、空気との熱交換が可能なフィンチューブ型の熱交換器で構成されているので利用側熱交換器２５において循環ファン２０により循環通路１９を循環する浴室４の空気と利用側熱交換器２５内の冷媒との熱交換が行われて冷媒が浴室４の空気に対して放熱（または吸熱）することになる。同様に熱源側熱交換器２７も空気との熱交換を前提にしたフィンチューブ型の熱交換器（以下、冷媒対空気熱交換器２９）で構成しているので、この冷媒対空気熱交換器２９において換気ファン１３により屋外に排出される空気から冷媒が吸熱（または放熱）することになる。このように圧縮機２４で圧縮された冷媒が利用側熱交換器２５において循環ファン２０により供給される浴室４の空気に対して放熱（または吸熱）するとともに冷媒対空気熱交換器２９において換気ファン１３により供給される屋外への排出空気から吸熱（または放熱）することによりヒートポンプが作動することになる。
【０１０５】
そして循環通路１９内の循環ファン２０により送風される空気の風向きにおける利用側熱交換器２５の下流側に位置する部分には、供給された水を微細化して微細な水滴（以下、ミスト）を発生させるミスト発生器３０が配設されている。このミスト発生器３０には外部の水道配管から給水弁３１を介して接続された加湿用給水管３２を通じて給水される構成となっており、この加湿用給水管３２からの供給水を超音波振動子３３によりミスト状に微細化し、循環ファン２０が送風する空気に微細化したミストを含ませて浴室４に供給する構成となっている。この超音波振動子３３の循環ファン２０が送風する空気の風向きに対する下流側には、空気中に含まれた比較的大粒のミスト、例えば５ミクロン以上のミストを除去するための気液分離器３４が配設されている。この気液分離器３４は、金網、パンチングメタル、束子状の金属あるいは樹脂などのメッシュ構造を有した材料が用いられており、このメッシュ部分に大粒の水滴を付着させて除去する構造となっている。この気液分離器３４で除去された大粒の水滴は、下方にあるドレンパン３５に滴下し、ドレンパン３５に接続された排水経路３６から装置外部に排水される。このドレンパン３５は、利用側熱交換器２５および冷媒対空気熱交換器２９の下方にも延設されており、利用側熱交換器２５および冷媒対空気熱交換器２９で発生した結露水やドレン水もドレンパン３５で受け止めて排水経路３６より排水する構造となっている。一方、気液分離器３４により大粒の水滴を除去された空気は吹出口１７から浴室４に供給される。この空気中には５ミクロン未満の非常に細かい微細水滴しか含まれていないので水滴感なく浴室４を加湿することが可能となり、また、視認性がなく浴室４内での読書や映像の鑑賞も可能な加湿空間が得られる。なお、上記構成においてはミスト発生器３０を超音波振動子３３において発生したミストのうち、粒径５ミクロン未満の微細水滴を浴室４に供給する構成としたが、浴室４に供給するミストの粒径は、これに限るものではなく、透明度が確保できる大きさであれば同様の加湿空間が得られ、また、１００〜３００ミクロン程度の霧状のミストを供給しても浴室４内を加湿することは可能である。
【０１０６】
次に空調システムの運転動作について説明する。図３は各運転モードにおける主要構成要素の動作状態を示す一覧表である。図に示した一覧表は空調システムの各運転モードを列方向に順に記載しており、その各々の運転モードにおける主要構成要素の動作状態を行方向に記載している。この空調システムは、一覧表に示すように「換気運転」、「乾燥運転」、「冷房運転」、「暖房運転」、「ミストサウナ運転」の５種類の運転モードを実行することが可能となっている。「換気運転」は、居住空間１の必要換気量を確保するために２４時間連続して換気運転を実行する運転パターンであり、この運転時は、換気ファン１３を必要換気量が確保可能な風量で運転（ＯＮ）し、換気通路２１に配設した開閉装置２２を浴室４との通風が可能なように開放位置（ＯＮ）に設定し、その他の主要構成要素、即ち、循環ファン２０、圧縮機２４、ミストを発生させるための給水弁３１および超音波振動子３３は全て停止状態（ＯＦＦ）に設定する。したがって浴室４に開口した吸込口１６、脱衣室５に開口した排気口９、トイレ６に開口した排気口１１から必要換気量に相当する所定量の空気が換気通路２１を通って換気ファン１３に吸込まれ屋外に排出される。この排出量に相当する新鮮な外気がリビング２に開口した給気口１４から取り入れられて排出空気と入れ替わることにより居住空間１の換気が行われることになる。
【０１０７】
次に「乾燥運転」時の運転動作について説明する。「乾燥運転」は、浴室４に洗濯物を干して乾かす衣類乾燥を行う場合や入浴後に浴室４自体を乾燥する場合に選択される運転モードである。この「乾燥運転」を実行する場合は、換気ファン１３を所定風量で運転（ＯＮ）し、開閉装置２２を浴室４との通風が可能なように開放位置（ＯＮ）に設定し、循環ファン２０を使用者が設定した風量で運転（ＯＮ）させて圧縮機２４を運転（ＯＮ）させる。また、流路切換弁２８を暖房サイクル側に設定し、ミストを発生させるための給水弁３１および超音波振動子３３を停止状態（ＯＦＦ）に設定する。このように設定すると、圧縮機２４で圧縮された高温高圧の冷媒が暖房サイクル側に設定されている流路切換弁２８を通り利用側熱交換器２５に流入する。利用側熱交換器２５には循環ファン２０の運転により、吸込口１６から循環通路１９に吸い込まれた浴室４の空気が供給されて冷媒との熱交換が行われ、浴室４の空気は冷媒の放熱により加熱されて吹出口１７から浴室４に吹き出される。利用側熱交換器２５で放熱した冷媒は、膨張機構２６において減圧膨張して熱源側熱交換器２７、即ち冷媒対空気熱交換器２９に導かれる。冷媒対空気熱交換器２９には換気ファン１３の運転により排気ダクト８および排気ダクト１０を通じて脱衣室５やトイレ６の空気が供給されるとともに、開閉装置２２が開放位置に設定されているため、浴室４の空気が吸込口１６から換気通路２１を通って供給される。冷媒対空気熱交換器２９においては、これらの供給空気、すなわち浴室４の空気、脱衣室５の空気およびトイレ６の空気から冷媒が吸熱する。冷媒対空気熱交換器２９で吸熱した冷媒は、流路切換弁２８を通って圧縮機２４に戻り冷媒回路２３を循環する。一方、冷媒対空気熱交換器２９で冷媒に吸熱されてエンタルピーが低下した空気は排気ダクト８を通って屋外に排出される。以上の乾燥運転を実行すれば、利用側熱交換器２５で加熱された高温空気が浴室４内を循環して乾燥対象、例えば洗濯物や浴室床面からの水分蒸発を促し、乾燥対象から蒸発した水分が浴室４の空気に含まれて換気ファン１３により冷媒対空気熱交換器２９に供給されて熱を回収された後に屋外に排出されるので効率の良い乾燥が行われることになる。また、冷媒対空気熱交換器２９において冷媒の吸熱により供給空気が露点温度以下に冷却された場合は、飽和した水分が結露してドレン水が発生することになる。このドレン水は冷媒対空気熱交換器２９の下方に配設されているドレンパン３５に滴下し排水経路３６を通じて装置外部に排水されることになる。
【０１０８】
次に「冷房運転」時の運転動作について説明する。「冷房運転」は、夏場などの高温時に在室者が浴室４内の温度を下げて快適に入浴する場合や清掃作業を行う場合に選択される運転モードである。この「冷房運転」を実行する場合は、換気ファン１３を所定風量で運転（ＯＮ）し、開閉装置２２を浴室４との通風を遮断するように閉鎖位置（ＯＦＦ）に設定し、循環ファン２０を使用者が設定した風量で運転（ＯＮ）させて圧縮機２４を運転（ＯＮ）させる。また、流路切換弁２８を冷房サイクル側に設定し、ミストを発生させるための給水弁３１および超音波振動子３３を停止状態（ＯＦＦ）に設定する。このように設定すると、圧縮機２４で圧縮された高温高圧の冷媒が冷房サイクル側に設定されている流路切換弁２８を通り、冷媒対空気熱交換器２９に導かれる。冷媒対空気熱交換器２９には換気ファン１３の運転により、排気ダクト１０および排気ダクト１２を通じて脱衣室５やトイレ６の空気が供給されており、冷媒がこれら供給空気に対して放熱する。冷媒対空気熱交換器２９において冷媒の放熱により高温となった脱衣室５およびトイレ６の空気は排気ダクト８を通って屋外に排出される。一方、冷媒対空気熱交換器２９で放熱した冷媒は、膨張機構２６において減圧膨張し、利用側熱交換器２５に流入する。利用側熱交換器２５には循環ファン２０の運転により吸込口１６から循環通路１９に吸い込まれた浴室４の空気が供給されて冷媒との熱交換が行われ、浴室４の空気は冷媒の吸熱により冷却されて吹出口１７から浴室４に供給され、また、利用側熱交換器２５で吸熱した冷媒は流路切換弁２８を通って圧縮機２４に戻って冷媒回路２３を循環する。このような運転を繰り返すことにより浴室４内の温度が低下して浴室４内が冷房されることになる。ここで、換気通路２１に位置する開閉装置２２は閉鎖位置に設定されているため、循環通路１９において冷却された低温空気が浴室４外部に排出されず効率良く浴室４を冷房することが可能となる。また、利用側熱交換器２５において冷媒の吸熱により供給空気が露点温度以下に冷却された場合は、飽和した水分が結露してドレン水が発生することになる。このドレン水は利用側熱交換器２５の下方にあるドレンパン３５に滴下し排水経路３６を通じて装置外部に排水されることになる。
【０１０９】
次に「暖房運転」時の運転動作について説明する。「暖房運転」は、冬場等の気温の低い季節に入浴前に浴室４内を暖房してヒートショックを軽減する、あるいは入浴者が寒さを感じずに快適に入浴する場合に選択される運転パターンである。この「暖房運転」を実行する場合は、換気ファン１３を所定風量で運転（ＯＮ）し、開閉装置２２を浴室４との通風を遮断するように閉鎖位置（ＯＦＦ）に設定し、循環ファン２０を使用者が設定した風量で運転（ＯＮ）させて圧縮機２４を運転（ＯＮ）させる。また、流路切換弁２８を暖房サイクル側に設定し、ミストを発生させるための給水弁３１および超音波振動子３３を停止状態（ＯＦＦ）に設定する。このように設定すると、圧縮機２４で圧縮された高温高圧の冷媒が暖房サイクル側に設定されている流路切換弁２８を通り利用側熱交換器２５に流入する。利用側熱交換器２５には循環ファン２０の運転により、吸込口１６から循環通路１９に吸い込まれた浴室４の空気が供給されて冷媒との熱交換が行われ、浴室４の空気は冷媒の放熱により加熱されて吹出口１７から浴室４に吹き出される。利用側熱交換器２５で放熱した冷媒は、膨張機構２６において減圧膨張して冷媒対空気熱交換器２９に流入する。冷媒対空気熱交換器２９には換気ファン１３の運転により排気ダクト１０および排気ダクト１２を通じて脱衣室５やトイレ６の空気が供給されて冷媒がこれらの供給空気から吸熱する。冷媒対空気熱交換器２９で吸熱した冷媒は、流路切換弁２８を通って圧縮機２４に戻り冷媒回路２３を循環する。一方、冷媒対空気熱交換器２９で冷媒に吸熱されてエンタルピーが低下した空気は排気ダクト８を通って屋外に排出される。このような運転を繰り返すことにより浴室４内の温度が上昇して浴室４内が暖房されることになる。ここで、換気通路２１に位置する開閉装置２２は閉鎖位置に設定されているため、循環通路１９において加熱された高温空気が浴室４外部に排出されず効率良く浴室４を暖房することが可能となる。また、冷媒対空気熱交換器２９において冷媒の吸熱により供給空気が露点温度以下に冷却された場合は、飽和した水分が結露してドレン水が発生することになる。このドレン水は冷媒対空気熱交換器２９の下方に配設されているドレンパン３５に滴下し排水経路３６を通じて装置外部に排水されることになる。
【０１１０】
次に「ミストサウナ運転」時の運転動作について説明する。「ミストサウナ運転」は、使用者が快適に発汗してリラクゼーションや健康促進が図れるように浴室４内を高温高湿状態、例えば温度３８℃、湿度７０％以上の高温高湿環境にする場合に選択される運転パターンである。この「ミストサウナ運転」を実行する場合は、最初に加湿用給水管３２に残った残水を排水する「排水運転」を実行する。「排水運転」は、加湿用給水管３２に介設している給水弁３１のみを開放状態（ＯＮ）に設定し、その他の換気ファン１３、循環ファン２０、圧縮機２４、超音波振動子３３を全て停止状態（ＯＦＦ）に設定する。このように設定すると給水弁３１が開放しているので外部の水道配管から加湿用給水管３２に水道水が供給されて加湿用給水管３２に残っている残水が流出していく。加湿用給水管３２から流出した残水は超音波振動子３３に供給されるが、超音波振動子３３が停止しているため、供給された残水はミスト化せずに全てドレンパン３５に滴下し排水経路３６から装置外部に排水されることになる。そして加湿用給水管３２の残水が全て排水される間、この「排水運転」を継続した後、「ミストサウナ運転」に移行する。「ミストサウナ運転」を実行する場合は、換気ファン１３を所定風量で運転（ＯＮ）し、開閉装置２２を浴室４との通風を遮断するように閉鎖位置（ＯＦＦ）に設定し、循環ファン２０を使用者が設定した風量で運転（ＯＮ）させて圧縮機２４を運転（ＯＮ）させる。また、流路切換弁２８を暖房サイクル側に設定し、給水弁３１の開放状態（ＯＮ）を維持するとともに超音波振動子３３を運転（ＯＮ）させる。このように設定すると、圧縮機２４で圧縮された高温高圧の冷媒が暖房サイクル側に設定されている流路切換弁２８を通り利用側熱交換器２５に流入する。利用側熱交換器２５には循環ファン２０の運転により、吸込口１６から循環通路１９に吸い込まれた浴室４の空気が供給されて冷媒との熱交換が行われ、浴室４の空気は冷媒の放熱により加熱されて超音波振動子３３が配設されているミスト発生部分に導かれる。超音波振動子３３には給水弁３１が開放状態に設定されているため、外部の水道配管から加湿用給水管３２を通じて水道水が供給され、供給された水道水は超音波振動子３３の振動により細かく破砕されミスト状になって利用側熱交換器２５で加熱された高温の浴室４の空気に含まれる。超音波振動子３３で発生したミストを含んだ高温高湿の空気は、下流に位置する気液分離器３４において大粒の水滴を除去された後、吹出口１７から浴室４に供給される。この供給空気には粒径５ミクロン未満の微細なミストが含まれており、この微細ミストにより使用者に水滴感を与えずに快適に浴室４を加湿することが可能となる。また、気液分離器３４で除去された大粒の水滴は、前述したようにドレンパン３５に滴下し、排水経路３６を通って本体７外部に排水される。一方、利用側熱交換器２５で放熱した冷媒は、膨張機構２６において減圧膨張して冷媒対空気熱交換器２９に流入する。冷媒対空気熱交換器２９には換気ファン１３の運転により排気ダクト１０および排気ダクト１２を通じて脱衣室５やトイレ６の空気が供給されており、冷媒がこれらの供給空気から吸熱する。冷媒対空気熱交換器２９で吸熱した冷媒は、流路切換弁２８を通って圧縮機２４に戻り冷媒回路２３を循環する。一方、冷媒対空気熱交換器２９で冷媒に吸熱されてエンタルピーが低下した空気は排気ダクト８を通って屋外に排出される。このような運転を繰り返すことにより浴室４内の温度および湿度が上昇して高温高湿のサウナ環境が得られる。ここで、換気通路２１に位置する開閉装置２２は閉鎖位置に設定されているため、循環通路１９において加熱および加湿された高温高湿空気が浴室４外部に排出されず効率良く浴室４をサウナ空間にすることが可能となる。また、冷媒対空気熱交換器２９において冷媒の吸熱により供給空気が露点温度以下に冷却された場合は、飽和した水分が結露してドレン水が発生することになる。このドレン水は冷媒対空気熱交換器２９の下方に配設されているドレンパン３５に滴下し、気液分離器３４で除去された大粒の水滴とともに排水経路３６を通じて装置外部に排水されることになる。
【０１１１】
また、冬場の外気温が非常に低い条件下では、換気ファン１３により冷媒対空気熱交換器２９に供給される脱衣室５およびトイレ６の空気温度も低くなるため、上述した「暖房運転」や「サウナ運転」の実行中に冷媒対空気熱交換器２９に霜や氷が付着する着霜現象が生じる。この着霜状態を放置しておくと冷媒対空気熱交換器２９における吸熱能力の低下により利用側熱交換器２５の放熱能力が低下して浴室４を十分に加熱できないという問題が発生する。このような問題を抑制するため、冷媒対空気熱交換器２９の冷媒配管の温度を監視し、その温度が所定値未満、例えば０度未満に低下した段階で冷媒対空気熱交換器２９に付着した霜を除去する「デアイス運転」を実行する必要がある。その「デアイス運転」時の運転動作について次に説明する。「デアイス運転」運転を実行する場合は、換気ファン１３および循環ファン２０の運転を停止し、「暖房サイクル側」に設定されていた流路切換弁２８を「冷房サイクル側」に切り換える。このような設定を行うことにより、圧縮機２４で圧縮された高温高圧の冷媒が冷房サイクル側に切り換えられた流路切換弁２８を通り冷媒対空気熱交換器２９に導かれる。この高温冷媒が冷媒対空気熱交換器２９の冷媒配管を流れることにより配管表面温度が上昇して付着した霜や氷が溶解する。溶解した霜や氷はドレン水となってドレンパン３５に滴下し配水経路３６を通じて装置外部に排水される。一方、冷媒対空気熱交換器２９で放熱して霜を溶かした冷媒は、膨張機構２６、利用側熱交換器２５、流路切換弁２８を順に流れて圧縮機２４に戻り冷媒回路２３を循環する。この「デアイス運転」を暫くの間、継続すると冷媒対空気熱交換器２９に付着した霜や氷が溶けきり冷媒配管の温度が上昇していく。この配管温度を継続的に監視し、配管温度が所定値以上、例えば１度以上に上昇した段階で「デアイス運転」から再び「暖房運転」や「サウナ運転」に切り換える。これにより低温時の極端な加熱能力低下を抑制して「暖房運転」や「サウナ運転」を継続することが可能になる。
【０１１２】
以上、説明した構成および動作により、本実施形態の空調システムは、以下の効果を奏するものである。
【０１１３】
すなわち、熱源側熱交換器２７において冷媒が吸熱した熱を利用側熱交換器２５において循環ファン２０により循環する浴室４の空気に放熱することによりヒートポンプを動作させて浴室４内の加熱を行うとともに、ミスト発生器３０で発生させた微細な水滴、すなわちミストを浴室４内に供給することにより、少ない消費電力で浴室４内を加熱および加湿して快適なサウナ環境を実現することができる。
【０１１４】
また、熱源側熱交換器２７において冷媒を放熱させるとともに利用側熱交換器２５において循環ファン２０が送風する空気から冷媒が吸熱することによりヒートポンプを動作させて浴室４内を冷却することができる。
【０１１５】
また、利用側熱交換器２５もしくは熱源側熱交換器２７に霜や氷が付着した場合に冷媒温度に基づいて流路切換弁２８を切り換えることにより、付着した霜の除去を行うことができる。
【０１１６】
また、ミスト発生器３０に加湿用給水配管３２を通じて湯水を供給してミストを発生させる構成とすることにより、水の供給を自動化して給水作業を省略することができる。
【０１１７】
また、加湿用給水管３２を通じて常温の水道水をミスト発生器３０に供給することにより、加湿用の熱源を不要にしてイニシャルコストを低減することができる。
【０１１８】
また、排水経路３６を通じて加湿用給水管３２に溜まっている残水を排水することにより、残水に発生した菌の飛散を防止することができる。
【０１１９】
また、加湿用給水管３２から供給される湯水を超音波振動子３３においてミスト状に微細化し、循環ファン２０が送風する空気に含ませて浴室４に供給することにより、少ない使用水量でミストを浴室４内に満遍なく供給することができる。
【０１２０】
また、利用側熱交換器２５において冷媒と熱交換して加熱された空気にミスト発生器３０で発生させたミストを含ませることにより、ミスト含有量が増加して加湿スピードを速めることができる。
【０１２１】
また、気液分離器３４において循環ファン２０が送風する空気中に含まれた大粒のミストを除去することにより、水滴感を減らして快適性を高めることができる。
【０１２２】
また、排水経路３６を通じて気液分離器３４において除去された大粒のミストを装置外部に排水することにより、水滴残留に伴う菌や臭いの発生を抑制することができる。
【０１２３】
また、気液分離器３４において除去された大粒のミストを、加湿用給水管３２に溜まっている残水を装置外部に排水する排水経路３６を利用して排水することにより、分離水滴用の排水経路を新たに設けることなく円滑に排水処理をすることができる。
【０１２４】
また、気液分離した大粒のミストや加湿給水管３２の残水を排水する排水経路３６を利用して利用側熱交換器２５あるいは熱源側熱交換器２７に生じた結露水を排水することにより、結露水用の排水経路を新たに設けることなく円滑に排水処理をすることができる。
【０１２５】
また、冷媒対空気熱交換器２９において換気ファン１３により屋外に排出される浴室４以外の室内空間の空気に対して冷媒が吸熱（または放熱）するとともに利用側熱交換器２５において循環ファン２０が送風する空気に対して冷媒が放熱（または吸熱）することによりヒートポンプを動作させて浴室４内を加熱もしくは冷却することができる。
【０１２６】
また、浴室４以外の室内空間に設置された空調機１５によって空調された空調空気を排気口９および排気口１１から吸い込んで冷媒対空気熱交換器２９に供給することにより、浴室４以外で発生した空調機１５の熱エネルギーを浴室４の空調に利用することができる。
【０１２７】
また、浴室４の加熱、加湿および冷却を行う場合は、浴室４に連通した換気通路２１に設けた開閉装置２２を閉鎖状態に設定して空調空気を排出せずに効率良く浴室４を空調し、また、浴室４の換気や乾燥を行う場合は開閉装置２２を開放状態に設定して浴室４の空気を速やかに屋外に排出するような切換動作を実行することができる。
【０１２８】
また、浴室４を乾燥する場合に、換気通路２１を通って屋外に排出される浴室４の空気から冷媒が吸熱することにより、利用側熱交換器２５において浴室４の空気に放熱された熱を冷媒対空気熱交換器２９において回収し乾燥効率の向上を図ることができる。
【０１２９】
また、換気通路２１の浴室４との連通部分を吸込口１６とすることにより、吸込み空気中の塵埃を除去するフィルターを共用化して装置構成の簡素化を図ることができる。
【０１３０】
（実施の形態２）
次に本発明の実施形態２にかかる空調システムについて説明する。なお、実施形態１と同一の構成要素は同一の番号を付し詳細な説明は省略する。図４は、本発明の実施形態２にかかる空調システムの風路構成図及び冷媒回路図であり、浴室４の天井面に吸込口１６と吹出口１７を開口した本体７内に、吸込口１６と吹出口１７を連通する循環通路１９を形成し、この循環通路１９内に循環ファン２０を配設している。また、吸込口１６と換気ファン１３の吸込側を連通する換気通路２１に脱衣室５と連通している排気ダクト１０とトイレ６と連通している排気ダクト１２を接続し、この換気通路２１の吸込口１６と換気ファン１３の吸込側を連通する部分の開閉状態を切り換える開閉装置２２を配設した構成となっている。また、本体７内部には、冷媒として例えば、ＨＣＦＣ系冷媒、ＨＦＣ系冷媒、炭化水素、二酸化炭素等の自然冷媒などの何れかを充填した冷媒回路２３を形設しており、この冷媒回路２３中に、圧縮機２４、循環通路１９内に配設された利用側熱交換器２５、膨張機構２６、換気通路２１内の換気ファン１３の吸込側に配設された冷媒対空気熱交換器２９を介在させるとともに、膨張機構２６と冷媒対空気熱交換器２９との間に後述する冷媒対水熱交換器３７を介設している。そして圧縮機２４で圧縮された冷媒を、利用側熱交換器２５、膨張機構２６、冷媒対空気熱交換器２９、冷媒対水熱交換器３７の順に流して圧縮機２４に戻す経路（以下、暖房サイクル）と、冷媒対水熱交換器３７、冷媒対空気熱交換器２９、膨張機構２６、第一熱交熱交換器２５の順に流して圧縮機２４に戻す経路（以下、冷房サイクル）を切り換えるための流路切換弁２８を介設している。
【０１３１】
利用側熱交換器２５および冷媒対空気熱交換器２９は、空気との熱交換が可能なフィンチューブ型の熱交換器で構成されているので、利用側熱交換器２５においては循環ファン２０により循環通路１９を循環する浴室４の空気と利用側熱交換器２５内を流れる冷媒との熱交換が行われ、また、冷媒対空気熱交換器２９においては換気ファン１３により屋外に排出される空気と冷媒対空気熱交換器２９内を流れる冷媒との熱交換が行われることになる。一方、冷媒対水熱交換器３７は、外部から供給される給水が流れる水側流路３８と冷媒が流れる冷媒側流路３９との間で給水と冷媒の熱交換を行うものであり、伝熱プレートを挟んで水側流路３８と冷媒側流路３９を交互に複数枚形成したプレート式の熱交換器や、管状の水側流路３８の内部に同じく管状の冷媒側流路３９を形設した二重管式の熱交換器が用いられることになる。そして冷媒対水熱交換器３７の水側流路３８には、深夜電力で湯を沸かす電気温水器やヒートポンプで湯を沸かすヒートポンプ給湯機からの給湯水を給水弁４０が介設された熱源用給水管４１を通じて給水するように構成されている。したがって給水弁４０を開放状態にすると熱源用給水管４１から冷媒対水熱交換器３７に常温もしくは高温の給湯水が供給されて冷媒との熱交換が行われることになる。このようにして圧縮機２４で圧縮された冷媒が、利用側熱交換器２５において循環ファン２０により供給される浴室４の空気に対して放熱（または吸熱）するとともに冷媒対空気熱交換器２９において換気ファン１３により供給される屋外への排出空気から吸熱（または放熱）し、さらに／または熱源用給水管４１から給水される給湯水から吸熱（または放熱）することによりヒートポンプが作動することになる。したがって冷媒対空気熱交換器２９と冷媒対水熱交換器３７の各々が熱源側熱交換器２７として作用することになる。
【０１３２】
また、この空調システムは、ミスト発生器３０として、熱源用配管４１から給水弁４２を介して分岐接続した加湿用給水管４３の先端に接続されて浴室４内に面するように配設されたノズル４４と、冷媒対水熱交換器３７の水側流路３８の出口部分から給水弁４５を介して延設された加湿用給水管４６の先端に接続されて循環通路１９内の送風方向に対する利用側熱交換器２５の上流部分に面するように配設されたノズル４７を備えている。また、加湿用給水管４６の給水弁４５の上流側には給水弁４８を介して分岐配管４９が分岐接続されており分岐配管４９の端部には冷媒対空気熱交換器２９側に向けてノズル５０が接続されている。そして利用側熱交換器２５および冷媒対空気熱交換器２９の下方にはドレンパン５１が配設されており、ドレンパン５１に滴下したドレン水を装置外部に排水するための排水経路５２が接続されている。上記構成において給水弁４２を開放すると、熱源用配管４１に供給される深夜電力もしくはヒートポンプで沸かされた温水が加湿用給水管４３に導かれてノズル４４に供給される。ノズル４４では供給された温水が所定の噴射角度を持って微細なミスト状に噴射され、この噴射されたミストが浴室４に供給されることになる。この浴室４に供給されるミストは粒径１００〜１５０ミクロン程度の細かな霧状のミスト（以下、シャワーミストと言う）であり、このシャワーミストを浴びると皮膚表面に水滴が付着して皮膚の汚れを洗い流す等の効果が得られる。また、給水弁４５を開放し給水弁４８を閉鎖すると、冷媒対水熱交換器３７の給水流路３８に供給された温水が加湿用給水管４６を通ってノズル４７に供給される。ノズル４７ではノズル４４と同様に供給された温水を所定の噴射角度を持たせて循環通路１９内部に微細なミスト状に噴射する。この循環通路１９には循環ファン２０により浴室４の空気が送風されるのでノズル４７から噴射されたミストが、この送風空気に含まれて送風方向の下流に配設される利用側熱交換器２５に供給される。利用側熱交換器２５においては送風空気に含まれたミストの中で比較的大粒のミスト、例えば粒径５ミクロン以上の水滴が利用側熱交換器２５のフィン表面に付着して除去されることになり、この利用側熱交換器２５で除去されなかった粒径５ミクロン以下のミスト（以下、マイクロミストと言う）を含んだ空気が吹出口１７から吹き出すことにより、浴室４内にマイクロミストが供給されることになる。このマイクロミストには粒径５ミクロン未満の非常に細かい微細水滴しか含まれていないので水滴感なく浴室４を加湿することが可能となり、また、視認性がなく浴室４内での読書や映像の鑑賞も可能な加湿空間が得られる。一方、利用側熱交換器２５で除去された大粒の水滴は、ドレンパン５１に滴下して排水経路５２から装置外部に排水される。また、給水弁４５を閉鎖し給水弁４８を開放すると、冷媒対水熱交換器３７の給水流路３８に供給された温水が分岐配管４９を介してノズル５０に供給され、冷媒対空気熱交換器２９に向けて噴霧されることになる。冷媒対空気熱交換器２９に対して噴霧された温水はドレンパン５１に滴下して排水経路５２から排水されることになる。なお、上記構成においてはミスト発生器３０を、ノズル４４から粒径１００〜１５０ミクロン程度の細かな霧状のシャワーミストを浴室４に供給する構成と、ノズル４７から噴射されたミストのうち、粒径５ミクロン以下のマイクロミストを浴室４に供給する構成としたが、浴室４に供給するミストの粒径は、これに限るものではなく、例えば、マイクロミストは透明度が確保できる大きさであれば同様の効果が得られ、また、シャワーミストは通常のシャワーよりも細かい３００ミクロン以下の霧状のミストであれば浴室４内を加湿することは可能である。
【０１３３】
次に空調システムの運転動作について説明する。図５は各運転モードにおける主要構成要素の動作状態を示す一覧表である。図に示した一覧表は空調システムの各運転モードを列方向に順に記載しており、その各々の運転モードにおける主要構成要素の動作状態を行方向に記載している。この空調システムは、一覧表に示すように「換気運転」、「乾燥運転」、「冷房運転」、「暖房運転」、「ミストサウナ運転」の５種類の運転モードを実行することが可能となっており、「換気運転」を実行する場合は、実施の形態１と同様に換気ファン１３を必要換気量が確保可能な風量で運転（ＯＮ）、換気通路２１に配設した開閉装置２２を浴室４との通風が可能なように開放位置（ＯＮ）、その他の循環ファン２０、圧縮機２４などは全て停止状態（ＯＦＦ）に設定する。これにより浴室４に開口した吸込口１６、脱衣室５に開口した排気口９、トイレ６に開口した排気口１１から必要換気量に相当する所定量の空気が換気通路２１を通って換気ファン１３に吸込まれて屋外に排出される。この排出量に相当する新鮮な外気がリビング２に開口した給気口１４から取り入れられて排出空気と入れ替わることにより居住空間１の換気が行われる。
【０１３４】
次に「乾燥運転」時の運転動作について説明する。この空調システムは「省エネ乾燥」モードと「パワフル乾燥」モードの２種類の乾燥運転モードを選択することが可能となっている。「省エネ乾燥」モードを実行する場合は、換気ファン１３を所定風量で運転（ＯＮ）し、開閉装置２２を浴室４との通風が可能なように開放位置（ＯＮ）に設定し、循環ファン２０を使用者が設定した風量で運転（ＯＮ）させて圧縮機２４を運転（ＯＮ）させる。また、流路切換弁２８を暖房サイクル側に設定し、冷媒対水熱交換器３７およびノズル４４に給湯水を供給するための給水弁４０と給水弁４２を閉鎖状態（ＯＦＦ）に設定する。このように設定すると、圧縮機２４で圧縮された高温高圧の冷媒が暖房サイクル側に設定されている流路切換弁２８を通り利用側熱交換器２５に流入する。利用側熱交換器２５には循環ファン２０の運転により、吸込口１６から循環通路１９に吸い込まれた浴室４の空気が供給されて冷媒との熱交換が行われ、浴室４の空気は冷媒の放熱により加熱されて吹出口１７から浴室４に吹き出される。利用側熱交換器２５で放熱した冷媒は、膨張機構２６において減圧膨張して冷媒対空気熱交換器２９に導かれる。冷媒対空気熱交換器２９には換気ファン１３の運転により排気ダクト８および排気ダクト１０を通じて脱衣室５やトイレ６の空気が供給されるとともに、開閉装置２２が開放位置に設定されているため、浴室４の空気が吸込口１６から換気通路２１を通って供給される。冷媒対空気熱交換器２９においては冷媒がこれら供給空気から吸熱する。冷媒対空気熱交換器２９で吸熱した冷媒は、冷媒対水熱交換器３７に供給されるが、冷媒対水熱交換器３７の給水流路３８には給湯水が供給されないため、冷媒は熱の授受を受けずに流路切換弁２８を通って圧縮機２４に戻り冷媒回路２３を循環する。一方、冷媒対空気熱交換器２９で冷媒に吸熱されてエンタルピーが低下した空気は排気ダクト８を通って屋外に排出される。以上の乾燥運転を実行すれば、利用側熱交換器２５で加熱された高温空気が浴室４内を循環して乾燥対象、例えば洗濯物や浴室床面からの水分蒸発を促し、乾燥対象から蒸発した水分が浴室４の空気に含まれて換気ファン１３により冷媒対空気熱交換器２９に供給されて熱を回収された後に屋外に排出されるので、効率の良い乾燥が行われることになる。また、冷媒対空気熱交換器２９において冷媒の吸熱により供給空気が露点温度以下に冷却された場合は、飽和した水分が結露してドレン水が発生することになる。このドレン水は冷媒対空気熱交換器２９の下方に配設されているドレンパン５１に滴下し排水経路５２を通じて装置外部に排水されることになる。
【０１３５】
また、「パワフル乾燥」モード実行する場合は、「省エネ乾燥」モードの設定に加えて、冷媒対水熱交換器３７に給湯水を供給するための熱源用給水管４１に介設された給水弁４０を開放状態（ＯＮ）、熱源用給水管４１から分岐接続される加湿用給水管４３に介設された給水弁４２を閉鎖状態（ＯＦＦ）、冷媒対水熱交換器３７の給水流路３８の出口側から延設される加湿用給水管４６に介設された給水弁４５を閉鎖状態（ＯＦＦ）、加湿用給水管４６に分岐接続される分岐配管４９に介設された給水弁４８を開放状態（ＯＮ）に設定するとともに熱源用給水管４１に湯水を供給する給湯機に対して４０〜８０℃程度の温水を供給するように運転信号を出力する。このように設定すると、給湯機から供給される給湯水が、熱源用給水管４１に介設された給水弁４０が開放状態、加湿用給水管４３に介設された給水弁４２が閉鎖状態に設定されているので、全て熱源用給水管４１側に流れて冷媒対水熱交換器３７の給水流路３８に供給される。冷媒対水熱交換器３７の冷媒流路３９には冷媒空気熱交換器２９において換気ファン１３が送風する空気から吸熱した後の冷媒が供給されており、この冷媒が給水流路３８に供給される給湯水から更に吸熱する。冷媒対水熱交換器３７において冷媒と熱交換を行った後の給湯水は、加湿用給水管４６に介設された給水弁４５が閉鎖状態、分岐配管４９に介設された給水弁４８が開放状態に設定されているので、全て分岐配管４９側に流れて分岐配管４９の端部に配設されたノズル５０から冷媒対空気熱交換器２９に対して噴霧される。これにより冷媒対空気熱交換器２９において冷媒が換気ファン１３により送風される空気から吸熱するとともにノズル５０から噴霧された給湯水からも吸熱することになり冷媒対空気熱交換器２９における吸熱量も増加する。このようにしてこのようにして「省エネ乾燥」モード時に対して冷媒対空気熱交換器２９における噴霧給湯水からの吸熱分と冷媒対水熱交換器３７での吸熱分が増加するので、その増加に従い利用側熱交換器２５における放熱量も増加することになる。したがって循環ファン２０により利用側熱交換器２５に供給される浴室４の空気が更に高温になり乾燥対象がより素早く乾燥することになる。なお、冷媒対空気熱交換器２９に噴霧された給湯水は冷媒対空気熱交換器２９の下方に配設されているドレンパン５１に滴下し、その他のドレン水とともに排水経路５２を通じて装置外部に排水されることになる。ここで熱源用給水管４１に供給される給湯水の温度は、冷媒対水熱交換器３７において冷媒が十分吸熱可能な温度であり、かつ冷媒熱交換器３７で冷媒に吸熱された後にも冷媒対空気熱交換器２９に対して噴霧される際に冷媒を加熱可能な温度を有しており、さらに冷媒対空気熱交換器２９に噴霧された後は、排水経路３６の耐熱温度以下であることが望ましい。したがって上記のように熱源用給水管４１に４０〜８０℃程度の温水を供給すれば、冷媒との熱交換において温度が約２０ｄｅｇ程度低下し、２０〜６０℃程度となって冷媒対空気熱交換器２９に噴霧され、冷媒対空気熱交換器２９内の冷媒を加熱することが可能となり、さらに冷媒対空気熱交換器２９に噴霧された後は温度が約１０ｄｅｇ程度低下し、１０〜５０℃程度となって排水経路３６の一般的な耐熱温度５０℃以下で排水することが可能となる。以上の理由から熱源用給水管４１に供給する給湯水の温度は、４０〜８０℃程度が望ましく、さらには５０〜７０℃に設定することがより望ましい。
【０１３６】
次に「冷房運転」時の運転動作について説明する。この空調システムは「省エネ冷房」モードと「パワフル冷房」モードの２種類の冷房運転モードを選択することが可能となっている。「省エネ冷房」モードを実行する場合は、換気ファン１３を所定風量で運転（ＯＮ）し、開閉装置２２を浴室４との通風を遮断するように閉鎖位置（ＯＮ）に設定し、循環ファン２０を使用者が設定した風量で運転（ＯＮ）させて圧縮機２４を運転（ＯＮ）させる。また、流路切換弁２８を冷房サイクル側に設定し、冷媒対水熱交換器３７およびノズル４４に給水するための給水弁４０と給水弁４２を閉鎖状態（ＯＦＦ）に設定する。このように設定すると、圧縮機２４で圧縮された高温高圧の冷媒が冷房サイクル側に設定されている流路切換弁２８を通り冷媒対水熱交換器３７に供給される。この冷媒対水熱交換器３７の給水流路３８側には湯水が供給されていないため、冷媒は熱の授受を受けずに冷媒対空気熱交換器２９に流入する。冷媒対空気熱交換器２９には換気ファン１３の運転により、排気ダクト１０および排気ダクト１２を通じて脱衣室５やトイレ６の空気が供給されており、冷媒がこれら供給空気に対して放熱する。冷媒対空気熱交換器２９において冷媒の放熱により加熱された脱衣室５およびトイレ６の空気は排気ダクト８を通って屋外に排出される。一方、冷媒対空気熱交換器２９で放熱した冷媒は、膨張機構２６において減圧膨張し、利用側熱交換器２５に流入する。利用側熱交換器２５には循環ファン２０の運転により吸込口１６から循環通路１９に吸い込まれた浴室４の空気が供給されて冷媒との熱交換が行われ、浴室４の空気は冷媒の吸熱により冷却されて吹出口１７から浴室４に供給され、また、利用側熱交換器２５で吸熱した冷媒は流路切換弁２８を通って圧縮機２４に戻って冷媒回路２３を循環する。このような運転を繰り返すことにより浴室４内の温度が低下して浴室４内が冷房されることになる。ここで、換気通路２１に位置する開閉装置２２は閉鎖位置に設定されているため、循環通路１９において冷却された低温空気が浴室４外部に排出されず効率良く浴室４を冷房することが可能となる。また、利用側熱交換器２５において冷媒の吸熱により供給空気が露点温度以下に冷却された場合は、飽和した水分が結露してドレン水が発生することになる。このドレン水は利用側熱交換器２５の下方にあるドレンパン５１に滴下し排水経路５２を通じて装置外部に排水されることになる。
【０１３７】
また、「パワフル冷房」モード実行する場合は、「省エネ冷房」モードの設定に加えて、冷媒対水熱交換器３７に給水するための熱源用給水管４１に介設された給水弁４０を開放状態（ＯＮ）、熱源用給水管４１から分岐接続される加湿用給水管４３に介設された給水弁４２を閉鎖状態（ＯＦＦ）、冷媒対水熱交換器３７の給水流路３８の出口側から延設される加湿用給水管４６に介設された給水弁４５を閉鎖状態（ＯＦＦ）、加湿用給水管４６に分岐接続される分岐配管４９に介設された給水弁４８を開放状態（ＯＮ）に設定するとともに熱源用給水管４１に湯水を供給する給湯機に対して５〜３５℃程度の常温水を供給するように運転信号を出力する。このように設定すると、給湯機から供給される常温水が、熱源用給水管４１に介設された給水弁４０が開放状態、加湿用給水管４３に介設された給水弁４２が閉鎖状態に設定されているので、全て熱源用給水管４１側に流れて冷媒対水熱交換器３７の給水流路３８に供給される。冷媒対水熱交換器３７の冷媒流路３９には圧縮機２４で圧縮された高温高圧の冷媒が供給されており、この冷媒が給水流路３８に供給される常温水に対して放熱する。冷媒対水熱交換器３７において冷媒と熱交換を行った後の常温水は、加湿用給水管４６に介設された給水弁４５が閉鎖状態、分岐配管４９に介設された給水弁４８が開放状態に設定されているので、全て分岐配管４９側に流れて分岐配管４９の端部に配設されたノズル５０から冷媒対空気熱交換器２９に対して噴霧される。噴霧された常温水は冷媒対空気熱交換器２９の外表面において換気ファン１３の送風に伴い気化し、この気化熱により冷媒対空気熱交換器２９が冷却されて冷媒の放熱が促進される。このようにして「省エネ冷房」モード時に対しては、冷媒対空気熱交換器２９における気化熱利用の放熱促進分と冷媒対水熱交換器３７における常温水への放熱分が増加するので、その増加に従い利用側熱交換器２５における吸熱量も増加することになる。したがって循環ファン２０により利用側熱交換器２５に供給される浴室４の空気が更に低温になり浴室４内が急速に冷房されることになる。なお、冷媒対空気熱交換器２９に噴霧された常温水は冷媒対空気熱交換器２９の下方に配設されているドレンパン５１に滴下し、その他のドレン水とともに排水経路５２を通じて装置外部に排水されることになる。ここで熱源用給水管４１に供給される常温水の温度は、冷媒対水熱交換器３７において冷媒が十分放熱可能な温度であり、かつ冷媒熱交換器３７で冷媒から放熱された後にも冷媒対空気熱交換器２９に対して噴霧される際に冷媒を冷却可能な温度を有しており、さらに冷媒対空気熱交換器２９に噴霧された後は、排水経路３６の耐熱温度以下であることが望ましい。したがって上記のように熱源用給水管４１に５〜３５℃程度の温水を供給すれば、冷媒との熱交換において温度が約１０ｄｅｇ程度上昇し、１５〜４５℃程度となって冷媒対空気熱交換器２９に噴霧され、冷媒対空気熱交換器２９内の冷媒を冷却することが可能となり、さらに冷媒対空気熱交換器２９に噴霧された後は温度が約５ｄｅｇ程度上昇し、２０〜５０℃程度となって排水経路３６の一般的な耐熱温度５０℃以下で排水することが可能となる。以上の理由から熱源用給水管４１に供給する給湯水の温度は、５〜３５℃程度が望ましく、さらには５〜２５℃に設定することがより望ましい。
【０１３８】
次に「暖房運転」時の運転動作について説明する。この空調システムは「省エネ暖房」モードと「パワフル暖房」モードの２種類の暖房運転モードを選択することが可能となっている。「省エネ暖房」モードを実行する場合は、換気ファン１３を所定風量で運転（ＯＮ）し、開閉装置２２を浴室４との通風を遮断するように閉鎖位置（ＯＦＦ）に設定し、循環ファン２０を使用者が設定した風量で運転（ＯＮ）させて圧縮機２４を運転（ＯＮ）させる。また、流路切換弁２８を暖房サイクル側に設定し、冷媒対水熱交換器３７およびノズル４４に給湯水を供給するための給水弁４０と給水弁４２を閉鎖状態（ＯＦＦ）に設定する。このように設定すると、圧縮機２４で圧縮された高温高圧の冷媒が暖房サイクル側に設定されている流路切換弁２８を通り利用側熱交換器２５に流入する。利用側熱交換器２５には循環ファン２０の運転により、吸込口１６から循環通路１９に吸い込まれた浴室４の空気が供給されて冷媒との熱交換が行われ、浴室４の空気は冷媒の放熱により加熱されて吹出口１７から浴室４に吹き出される。一方、利用側熱交換器２５で放熱した冷媒は、膨張機構２６において減圧膨張して冷媒対空気熱交換器２９に流入する。冷媒対空気熱交換器２９には換気ファン１３の運転により排気ダクト１０および排気ダクト１２を通じて脱衣室５やトイレ６の空気が供給されており、冷媒がこれらの供給空気から吸熱する。冷媒対空気熱交換器２９で吸熱した冷媒は冷媒対水熱交換器３７に供給されるが、この冷媒対水熱交換器３７の給水流路３８側には給湯水が供給されないため、冷媒は熱の授受を受けずに流路切換弁２８を通って圧縮機２４に戻り冷媒回路２３を循環する。一方、冷媒対空気熱交換器２９において冷媒に吸熱されてエンタルピーが低下した空気は排気ダクト８を通って屋外に排出される。このような運転を繰り返すことにより浴室４内の温度が上昇して浴室４内が暖房されることになる。ここで、換気通路２１に位置する開閉装置２２は閉鎖位置に設定されているため、循環通路１９において加熱された高温空気が浴室４外部に排出されず効率良く浴室４を暖房することが可能となる。また、冷媒対空気熱交換器２９において冷媒の吸熱により供給空気が露点温度以下に冷却された場合は、飽和した水分が結露してドレン水が発生することになる。このドレン水は冷媒対空気熱交換器２９の下方に配設されているドレンパン５１に滴下し排水経路５２を通じて装置外部に排水されることになる。なお冬場の外気温が非常に低い条件下では、換気ファン１３により冷媒対空気熱交換器２９に供給される脱衣室５およびトイレ６の空気温度も低くなるため、暖房運転中に冷媒対空気熱交換器２９に霜や氷が付着する着霜現象が生じる。この場合は以下に説明する「パワフル暖房」モードに移行して着霜現象を抑制することになる。
【０１３９】
次に「パワフル暖房」モード時の運転動作について説明する。「パワフル暖房」モードを実行する場合は、「省エネ暖房」モードの設定に加えて、冷媒対水熱交換器３７に給湯水を供給するための熱源用給水管４１に介設された給水弁４０を開放状態（ＯＮ）、熱源用給水管４１から分岐接続される加湿用給水管４３に介設された給水弁４２を閉鎖状態（ＯＦＦ）、冷媒対水熱交換器３７の給水流路３８の出口側から延設される加湿用給水管４６に介設された給水弁４５を閉鎖状態（ＯＦＦ）、加湿用給水管４６に分岐接続される分岐配管４９に介設された給水弁４８を開放状態（ＯＮ）に設定するとともに熱源用給水管４１に湯水を供給する給湯機に対して４０〜６０℃程度の温水を供給するように運転信号を出力する。このように設定すると、給湯機から供給される給湯水が、熱源用給水管４１に介設された給水弁４０が開放状態、加湿用給水管４３に介設された給水弁４２が閉鎖状態に設定されているので、全て熱源用給水管４１側に流れて冷媒対水熱交換器３７の給水流路３８に供給される。この冷媒対水熱交換器３７の冷媒流路３９には冷媒空気熱交換器２９において換気ファン１３が送風する空気から吸熱した後の冷媒が供給されており、この冷媒が給水流路３８に供給される給湯水から更に吸熱する。冷媒対水熱交換器３７において冷媒と熱交換を行った後の給湯水は、加湿用給水管４６に介設された給水弁４５が閉鎖状態、分岐配管４９に介設された給水弁４８が開放状態に設定されているので、全て分岐配管４９側に流れて分岐配管４９の端部に配設されたノズル５０から冷媒対空気熱交換器２９に対して噴霧される。これにより冷媒対空気熱交換器２９に霜や氷が付着している場合には、噴霧された給湯水により霜や氷が溶けて除去されることになり、また、冷媒対空気熱交換器２９内の冷媒がノズル５０から噴霧された給湯水から吸熱することになる。このようにして「省エネ暖房」モード時に対して冷媒対空気熱交換器２９における噴霧給湯水からの吸熱分と冷媒対水熱交換器３７での吸熱分が増加するので、その増加に従い利用側熱交換器２５における放熱量も増加することになる。したがって循環ファン２０により利用側熱交換器２５に供給される浴室４の空気が更に高温になり暖房能力が向上することになる。また、「省エネ暖房」モードにおいて冷媒対空気熱交換器２９に着霜現象が生じた場合にも「パワフル暖房」モードに切り換えて霜や氷の除去を行い、除霜が完了した段階で再び「省エネ暖房」モードに戻すことにより、入浴者の快適感を損なわずに連続した暖房運転を実行することができる。このノズル５０から冷媒対空気熱交換器２９に対して噴霧された給湯水や冷媒対空気熱交換器２９に付着した霜や氷がとけたドレン水は、すべて冷媒対空気熱交換器２９の下方に配設されているドレンパン５１に滴下し排水経路５２を通じて装置外部に排水されることになる。ここで熱源用給水管４１に供給される給湯水の温度は、冷媒対水熱交換器３７において冷媒が十分吸熱可能な温度であり、かつ冷媒熱交換器３７で冷媒に吸熱された後にも冷媒対空気熱交換器２９に対して噴霧される際に冷媒を加熱可能な温度、また冷媒対空気熱交換器２９に付着した霜や氷の溶解が可能な温度を有しており、さらに冷媒対空気熱交換器２９に噴霧された後は、排水経路３６の耐熱温度以下であることが望ましい。したがって上記のように熱源用給水管４１に４０〜８０℃程度の温水を供給すれば、冷媒との熱交換において温度が約２０ｄｅｇ程度低下し、２０〜６０℃程度となって冷媒対空気熱交換器２９に噴霧され、冷媒対空気熱交換器２９内の冷媒を加熱する、また冷媒対空気熱交換器２９に付着した霜や氷を溶解することが可能となり、さらに冷媒対空気熱交換器２９に噴霧された後は温度が約１０ｄｅｇ程度低下し、１０〜５０℃程度となって排水経路３６の一般的な耐熱温度５０℃以下で排水することが可能となる。以上の理由から熱源用給水管４１に供給する給湯水の温度は、４０〜８０℃程度が望ましく、さらには５０〜７０℃に設定することがより望ましい。
【０１４０】
次に「サウナ運転」時の運転動作について説明する。この空調システムは「シャワーミストサウナ」モードと「マイクロミストサウナ」モードの２種類のサウナ運転モードを選択することが可能となっている。「シャワーミストサウナ」モードを実行する場合は、換気ファン１３を所定風量で運転（ＯＮ）し、開閉装置２２を浴室４との通風を遮断するように閉鎖位置（ＯＦＦ）、流路切換弁２８を暖房サイクル側に設定し、循環ファン２０を使用者が設定した風量で運転（ＯＮ）させて圧縮機２４を運転（ＯＮ）させる。また、冷媒対水熱交換器３７に給湯水を供給するための熱源用給水管４１に介設された給水弁４０を閉鎖状態（ＯＦＦ）、熱源用給水管４１から分岐接続される加湿用給水管４３に介設された給水弁４２を開放状態（ＯＮ）に設定するとともに熱源用給水管４１に湯水を供給する給湯機に対して６０〜８０℃程度の温水を供給するように運転信号を出力する。このように設定すると、給湯機から供給される給湯水が、熱源用給水管４１に介設された給水弁４０が閉鎖状態、加湿用給水管４３に介設された給水弁４２が開放状態に設定されているので、全て加湿用給水管４３側に流れて噴射口を浴室４に臨ませたノズル４４に供給される。ノズル４４に供給された給湯水は所定の噴射角度を持って微細なミスト状に噴射され、この噴射されたミストが浴室４に供給されて浴室４が加湿される。この浴室４に供給されるシャワーミストは粒径約１００〜１５０ミクロン程度の細かな霧状のミストであり、皮膚表面の汚れを洗い流す効果が得られるとともに、ノズル４４に供給された給湯水の全量が浴室４にシャワーミストとして供給されるので短時間で浴室４内の湿度が上昇することになる。また、圧縮機２４で圧縮された高温高圧の冷媒が暖房サイクル側に設定されている流路切換弁２８を通り利用側熱交換器２５に流入する。利用側熱交換器２５には循環ファン２０の運転により、吸込口１６から循環通路１９に吸い込まれた浴室４の空気が供給されて冷媒との熱交換が行われ、浴室４の空気は冷媒の放熱により加熱されて吹出口１７から浴室４に吹き出される。利用側熱交換器２５で放熱した冷媒は、膨張機構２６において減圧膨張して冷媒対空気熱交換器２９に流入する。冷媒対空気熱交換器２９には換気ファン１３の運転により排気ダクト１０および排気ダクト１２を通じて脱衣室５やトイレ６の空気が供給されており、冷媒がこれらの供給空気から吸熱する。冷媒対空気熱交換器２９で吸熱した冷媒は、冷媒対水熱交換器３７に供給されるが、この冷媒対水熱交換器３７の給水流路３８側には給湯水が供給されないため、冷媒は熱の授受を受けずに流路切換弁２８を通って圧縮機２４に戻り冷媒回路２３を循環する。一方、冷媒対空気熱交換器２９で冷媒に吸熱されてエンタルピーが低下した空気は排気ダクト８を通って屋外に排出される。ここで換気通路２１に位置する開閉装置２２は閉鎖位置に設定されているため、循環通路１９において加熱された高温空気やノズル４４からのミスト噴射により加湿された浴室４の空気が浴室４外部に排出されず効率良く浴室４が加熱および加湿されることになる。以上のようにして浴室４内を加熱および加湿することにより、浴室４内が温度３７℃以上かつ湿度７０％以上の高温高湿環境になり、快適なサウナ入浴が可能となる。ここで熱源用給水管４１に供給される常温水の温度は、ノズル４４から浴室４内に噴射された際に人体にかかっても火傷をせず、かつ体感温度を高められる程度の温度を有していることが望ましい。したがって上記のように熱源用給水管４１に６０〜８０℃程度の温水を供給すれば、ノズル４４から噴射された際に気化熱により温度が２０ｄｅｇ程度低下し４０〜６０℃程度となって浴室４内に噴霧され、心地よい温度のシャワーミストが得られる。以上の理由から熱源用給水管４１に供給する給湯水の温度は、６０〜８０℃程度が望ましく、さらには６５〜７５℃に設定することがより望ましい。
【０１４１】
次に「マイクロミストサウナ」モード時の運転動作について説明する。この「マイクロミストサウナ」モードを実行する場合は、最初に熱源用給水管４１および加湿用給水管４６に残った残水を排水する「排水運転」を実行する。「排水運転」は、熱源用給水管４１に介設されている給水弁４０および加湿用給水管４６に介設されている給水弁４５を開放状態（ＯＮ）、加湿用給水管４３に介設されている給水弁４２および分岐配管４９に介設されている給水弁４８を閉鎖状態（ＯＦＦ）に設定し、その他の換気ファン１３、循環ファン２０、圧縮機２４を全て停止状態（ＯＦＦ）に設定するとともに熱源用給水管４１に湯水を供給する給湯機に対して６０〜８０℃程度の温水を供給するように運転信号を出力する。このように設定すると、給湯機から供給される給湯水が、熱源用給水管４１に介設された給水弁４０が開放状態、加湿用給水管４３に介設された給水弁４２が閉鎖状態に設定されているので、全て熱源用給水管４１側に流れて冷媒対水熱交換器３７に供給される。冷媒対水熱交換器３７の給水流路３８を流れた給湯水は、給水流路３８の出口側に延設された加湿用給水管４６に介設された給水弁４５が開放状態、加湿用給水管４６に分岐接続される分岐配管４９に介設された給水弁４８が閉鎖状態に設定されているので、全て加湿用給水管４６側に供給されて循環通路１９内に配設されたノズル４７から噴射されることになる。この運転を継続すると熱源用給水管４１、冷媒対水熱交換器３７の給水流路３８および加湿用給水管４６に残っていた残水が給湯機からの給湯水に押し流されてノズル４７から噴射され、ノズル４７から噴射された残水は循環ファン２０が停止しているので循環通路１９内の空気には含まれずに全てドレンパン５１に滴下して排水経路５２から装置外部に排水されることになる。そして「排水運転」を暫時実行して、熱源用給水管４１、冷媒対水熱交換器３７の給水流路３８および加湿用給水管４６に残った残水が全て排水されたら、次に「マイクロミストサウナ」モードに移行する。「マイクロミストサウナ」モードを実行する場合は、熱源用給水管４１に介設されている給水弁４０、加湿用給水管４６に介設されている給水弁４５、加湿用給水管４３に介設されている給水弁４２および分岐配管４９に介設されている給水弁４８の設定および熱源用給水管４１に湯水を供給する給湯機への運転信号は「排水運転」時の設定を継続しつつ、換気ファン１３を所定風量で運転（ＯＮ）し、開閉装置２２を浴室４との通風を遮断するように閉鎖位置（ＯＦＦ）、流路切換弁２８を暖房サイクル側に設定し、循環ファン２０を使用者が設定した風量で運転（ＯＮ）させて圧縮機２４を運転（ＯＮ）させる。このように設定すると、「排水運転」時と同様に給湯機から供給される６０〜８０℃程度の給湯水が、熱源用給水管４１、冷媒対水熱交換器３７、加湿用給水管４６を通ってノズル４７に供給される。ノズル４７に供給された給湯水は循環通路１９内に所定の噴射角度を持って微細なミスト状に噴射される。この循環通路１９には循環ファン２０の運転により吸込口１６から吸込まれた浴室４の空気が送風されており、ノズル４７から噴射された微細なミストがこの送風空気中に含まれる。このミストを含んだ送風空気は、循環通路１９内の風下側に配設された利用側熱交換器２５に供給される。利用側熱交換器２５には圧縮機２４で圧縮された高温高圧の冷媒が暖房サイクル側に設定されている流路切換弁２８を介して流入するので利用側熱交換器２５において微細ミストを含んだ空気に対して冷媒が放熱して供給空気が加熱される。さらに利用側熱交換器２５は空気流通部分に伝熱性能を向上するための伝熱板（フィン）が所定間隔で複数枚配設されているので、供給空気に含まれる比較的大粒のミストが伝熱板間隙を通過する際に伝熱板に付着して除去されることになる。このようにして利用側熱交換器２５において冷媒の放熱により加熱されるとともに大粒の水滴を除去された空気は、吹出口１７から浴室４に供給される。この供給空気には粒径５ミクロン未満の微細なミストのみが含まれており、この微細ミストにより使用者が水滴感を感じずに快適に浴室４の加湿が行われることになる。また、利用側熱交換器２５において除去された大粒の水滴は、ドレンパン５１に滴下し、排水経路５２を通って本体７外部に排水される。一方、利用側熱交換器２５で放熱した冷媒は、膨張機構２６において減圧膨張して冷媒対空気熱交換器２９に流入し、換気ファン１３の運転により冷媒対空気熱交換器２９に供給される脱衣室５やトイレ６の空気から吸熱する。冷媒対空気熱交換器２９で吸熱した冷媒は次に冷媒対水熱交換器３７の冷媒流路３９側に供給され、熱源用配管４１を通じて冷媒対水熱交換器３７の給水流路３８に供給される給湯水から更に吸熱することになる。冷媒対水熱交換器３７で給湯水から吸熱した冷媒は、流路切換弁２８を介して圧縮機２４に戻り冷媒回路２３を循環する。一方、冷媒対空気熱交換器２９で冷媒に吸熱されてエンタルピーが低下した空気は排気ダクト８を通って屋外に排出され、冷媒対水熱交換器３７において冷媒との熱交換を行った給湯水は上述したように加湿用給水管４６を通じてノズル４７に供給される。このような運転を繰り返すことにより浴室４内の温度および湿度が上昇して温度３７℃以上かつ湿度７０％以上の高温高湿のサウナ環境が得られる。ここで、換気通路２１に位置する開閉装置２２は閉鎖位置に設定されているため、循環通路１９において加熱および加湿された高温高湿空気が浴室４外部に排出されず効率良く浴室４をサウナ空間にすることが可能となる。また、冷媒対空気熱交換器２９において冷媒の吸熱により供給空気が露点温度以下に冷却された場合は、飽和した水分が結露してドレン水が発生することになる。このドレン水は冷媒対空気熱交換器２９の下方に配設されているドレンパン５１に滴下し利用側熱交換器２５で除去された大粒の水滴とともに排水経路５２を通じて本体７外部に排水されることになる。ここで熱源用給水管４１に供給される給湯水の温度は、冷媒対水熱交換器３７において冷媒が十分吸熱可能な温度であり、かつ冷媒熱交換器３７で冷媒に吸熱された後にもノズル４７から循環通路１９内に噴射される際に体温以上の温度を有しており、さらに循環通路１９内に噴射された後は、排水経路５２の耐熱温度以下であることが望ましい。したがって上記のように熱源用給水管４１に６０〜８０℃程度の温水を供給すれば、冷媒との熱交換において温度が約２０ｄｅｇ程度低下し、４０〜６０℃程度となってノズル４７から循環通路１９内に噴射されて循環ファン２０により送風される浴室４の空気を加熱するとともに水滴を含ませることで加湿することが可能となり、さらに循環通路１９内に噴射された後は温度が約１０ｄｅｇ程度低下し、３０〜５０℃程度となって排水経路３６の一般的な耐熱温度５０℃以下で排水することが可能となる。以上の理由から熱源用給水管４１に供給する給湯水の温度は、６０〜８０℃程度が望ましい。
【０１４２】
以上、説明した構成および動作により、本実施形態の空調システムは、以下の効果を奏するものである。
【０１４３】
すなわち、熱源側熱交換器２７において冷媒が吸熱した熱を利用側熱交換器２５において循環ファン２０により循環する浴室４の空気に放熱することによりヒートポンプを動作させて浴室４内の加熱を行うとともに、ミスト発生器３０で発生させた微細な水滴、すなわちミストを浴室４内に供給することにより、少ない消費電力で浴室４内を加熱および加湿して快適なサウナ環境を実現することができる。
【０１４４】
また、熱源側熱交換器２７において冷媒を放熱させるとともに利用側熱交換器２５において循環ファン２０が送風する空気から冷媒が吸熱することによりヒートポンプを動作させて浴室４内を冷却することができる。
【０１４５】
また、ミスト発生器３０に加湿用給水配管４３および加湿用給水配管４６を通じて湯水を供給してミストを発生させる構成とすることにより、水の供給を自動化して給水作業を省略することができる。
【０１４６】
また、深夜電力もしくはヒートポンプ式の給湯機で沸かされた湯を加湿用給水管４３および加湿用給水管４６を通じてミスト発生器３０に供給することにより、加湿に係るランニングコストを低減することができる。
【０１４７】
また、排水経路５２を通じて加湿用給水管４６に溜まっている残水を排水することにより、残水に発生した菌の飛散を防止することができる。
【０１４８】
また、加湿用給水管４３から供給される湯水をノズル４４においてミスト状に微細化し浴室４内に直接噴霧することにより、供給される湯水の全量を浴室４内に供給して加湿スピードを速めることができる。
【０１４９】
また、加湿用給水管４６から供給される湯水をノズル４７においてミスト状に微細化し、循環ファン２０が送風する空気に含ませて浴室４に供給することにより、浴室４内に満遍なくミストを供給することができる。
【０１５０】
また、加湿用給水管４３から供給される湯水をノズル４４においてミスト状に微細化し浴室４内に直接噴霧する加湿形態と、加湿用給水管４６から供給される湯水をノズル４７においてミスト状に微細化し、循環ファン２０が送風する空気に含ませて浴室４に供給する加湿形態を切り換えることにより、加湿スピードを速めるとともに浴室４内に満遍なくミストを供給することができる。
【０１５１】
また、利用側熱交換器２５において循環ファン２０が送風する空気中に含まれた大粒のミストを除去することにより、気液分離器を新たに設けることなく水滴感を減らして快適性を高めることができる。
【０１５２】
また、排水経路５２を通じて利用側熱交換器２５において除去された大粒のミストを装置外部に排水することにより、水滴残留に伴う菌や臭いの発生を抑制することができる。
【０１５３】
また、利用側熱交換器２５において除去された大粒のミストを、加湿用給水管４６に溜まっている残水を装置外部に排水する排水経路５２を利用して排水することにより、分離水滴用の排水経路を新たに設けることなく円滑に排水処理をすることができる。
【０１５４】
また、気液分離した大粒のミストや加湿給水管４６の残水を排水する排水経路５２を利用して利用側熱交換器２５あるいは熱源側熱交換器２７に生じた結露水を排水することにより、結露水用の排水経路を新たに設けることなく円滑に排水処理をすることができる。
【０１５５】
また、冷媒対空気熱交換器２９において換気ファン１３により屋外に排出される浴室４以外の室内空間の空気に対して冷媒が吸熱（または放熱）するとともに利用側熱交換器２５において循環ファン２０が送風する空気に対して冷媒が放熱（または吸熱）することによりヒートポンプを動作させて浴室４内を加熱もしくは冷却することができる。
【０１５６】
また、冷媒対水熱交換器３７において熱源用給水管４１から供給される湯水に対して冷媒が吸熱（または放熱）するとともに利用側熱交換器２５において循環ファン２０が送風する空気に対して冷媒が放熱（または吸熱）することによりヒートポンプを動作させて浴室４内を加熱もしくは冷却することができる。
【０１５７】
また、換気ファン１３により屋外に排出される浴室４以外の室内空間の空気に対して冷媒が吸熱または放熱する冷媒対空気熱交換器２９と、熱源用給水管４１から供給される湯水に対して冷媒が吸熱または放熱する冷媒対水熱交換器３７を直列状態に冷媒回路２３内に設け、冷媒対空気熱交換器２９と冷媒対水熱交換器３７における吸熱（または放熱）を複合あるいは切り換えることにより、換気ファン１３が送風する空気と熱源用給水管４１から供給される湯水の双方あるいは何れか一方を熱源としてヒートポンプを動作させて浴室４内を加熱もしくは冷却することができる。
【０１５８】
また、浴室４以外の室内空間に設置された空調機１５によって空調された空調空気を排気口９および排気口１１から吸い込んで冷媒対空気熱交換器２９に供給することにより、浴室４以外で発生した空調機１５の熱エネルギーを浴室４の空調に利用することができる。
【０１５９】
また、浴室４の加熱、加湿および冷却を行う場合は、浴室４に連通した換気通路２１に設けた開閉装置２２を閉鎖状態に設定して空調空気を排出せずに効率良く浴室４を空調し、また、浴室４の換気や乾燥を行う場合は開閉装置２２を開放状態に設定して浴室４の空気を速やかに屋外に排出するような切換動作を実行することができる。
【０１６０】
また、請求項２４記載の発明によれば、浴室４を乾燥する場合に、換気通路２１を通って屋外に排出される浴室４の空気から冷媒が吸熱することにより、利用側熱交換器２５において浴室４の空気に放熱された熱を冷媒対空気熱交換器２９において回収し乾燥効率の向上を図ることができる。
【０１６１】
また、ミスト発生器３０に供給される湯水を冷媒対空気熱交換器２９に噴霧することにより冷媒対空気熱交換器２９に付着した霜や氷を除去することができる。
【０１６２】
また、利用側熱交換器２５または冷媒対空気熱交換器２９の霜や氷の除去に使用された給水および霜や氷が溶けたドレン水を、利用側熱交換器２５において除去された大粒のミスト、または加湿用給水管４６に溜まっている残水を装置外部に排水するための排水経路５２を利用して装置外部に排水することにより、給水およびドレン水用の排水経路を新たに設けることなく円滑に排水を処理することができる。
【０１６３】
また、熱源用給水管４１を通じて深夜電力もしくはヒートポンプ式の給湯機で沸かされた湯を冷媒対水熱交換器３７に供給することにより、加熱に係るランニングコストを低減することができる。
【０１６４】
また、加湿用給水管４３を熱源用給水管４１から分岐させることにより、外部からの給水管の接続を一本化して施工を容易に行うことができる。
【０１６５】
また、冷媒対水熱交換器３７において冷媒と熱交換した後の湯水をミスト発生器３０に供給することにより、冷媒対水熱交換器３７での余熱を加湿に有効利用し、熱利用率を高めることができる。
【０１６６】
また、冷媒対水熱交換器３７において冷媒との熱交換をした後の湯水を利用側熱交換器２５あるいは冷媒対空気熱交換器２９に生じた結露水を装置外部に排水する排水経路５２を利用して装置外部に排水することにより、冷媒対水熱交換器３７用の排水経路を新たに設けることなく円滑に排水を処理することができる。
【０１６７】
以上説明した内容は、発明を実施するための一形態についてのみ説明したものであり、本発明は上記実施の形態に限定されるものではない。
【０１６８】
例えば、上記実施の形態２では、冷媒対空気熱交換器２９と冷媒対水熱交換器３７を冷媒回路２３内において直列に介設する構成を示したが、冷媒対空気熱交換器２９と冷媒対水熱交換器３７を冷媒回路２３内の膨張機構２６と流路切換弁２８の間に並列状態に介設するように構成しても良い。その場合、冷媒対空気熱交換器２９と冷媒対水熱交換器３７の各々の冷媒流入側および／または冷媒流出側に開閉弁を設けて冷媒の流れを何れか一方に切換可能に構成しても良い。その場合、冷媒対水熱交換器３７側のみを熱源用熱交換器２７として作用させてもよい。
【０１６９】
また、上記実施の形態２では、サウナ運転として加湿用給水管４３からの給水をノズル４４で微細化して直接浴室４にミストを供給するシャワーミストサウナの運転モードと加湿用給水管４６の先端に設けたノズル４７から噴射された微細な液滴を循環ファン２０により循環する空気に含ませて浴室４に供給するマイクロミストサウナの運転モードの何れかを選択する構成を示したが、シャワーミストとマイクロミストを複合させる運転モードを選択できるように構成してもよい。また、ミストサウナ運転の起動時はシャワーミスト運転により粒径の大きいミストを浴室４内に供給して加湿速度を速め、浴室４内の湿度が上昇したらマイクロミスト運転に切り換えて、視認性および水滴感のない微細なミストを浴室４内に供給して読書や映像の視聴を可能にする運転パターンを選択できるように構成しても良い。
【０１７０】
また、上記実施の形態２では、冷媒対水熱交換器３７の給水流路３８の出口側に延設された加湿用給水管４６の先端にノズル４７を設けてミストを発生させる構成を示したが、実施の形態１で説明したように加湿用給水管４６からの給水を超音波振動子３３に供給して超音波振によりミストを発生させる構成としても良い。その場合、実施の形態２で説明したように加湿用給水管４３からの給水をノズル４４で微細化して直接浴室４にミストを供給するシャワーミストの運転形態と、超音波振動子３３で発生させた微細な液滴を循環ファン２０により循環する空気に含ませて浴室４に供給するマイクロミストの運転形態を複合させる、もしくは切り換えるように構成しても良い。
【産業上の利用可能性】
【０１７１】
以上のように本発明にかかる空調システムは、ヒートポンプを利用し、少ない消費エネルギーで浴室などの室内空間の加熱および加湿を十分に行い、快適なサウナ環境を実現することができるものであり、一般住宅の浴室空調のみならず、ホテル、公共施設等の業務用途にも適用することができる。
【図面の簡単な説明】
【０１７２】
【図１】本発明の実施の形態１に係る空調システムが設置されている居住空間の見取り図
【図２】同空調システムの風路構成図及び冷媒回路図
【図３】同空調システムの各運転モードにおける主要構成要素の動作状態のパターンを示す図
【図４】本発明の実施の形態２に係る空調システムの風路構成図及び冷媒回路図
【図５】同空調システムの各運転モードにおける主要構成要素の動作状態のパターンを示す図
【符号の説明】
【０１７３】
２    リビング
３    寝室
４    浴室
５    脱衣室
６    トイレ
９、１１  排気口
１３  換気ファン
１５  空調機
１６  吸込口
１７  吹出口
２０  循環ファン
２１  換気通路
２２  開閉装置
２３  冷媒回路
２４  圧縮機
２５  利用側熱交換器
２６  膨張機構
２７  熱源側熱交換器
２８  流路切換弁
２９  冷媒対空気熱交換器
３０  ミスト発生器
３２、４３、４６  加湿用給水管
３３  超音波振動子
３４  気液分離器
３６、５２  排水経路
３７  冷媒対水熱交換器
４１  熱源用給水管
４４、４７、５０  ノズル
【図１】
2008025963.tif 000003
【図２】
2008025963.tif 000004
【図３】
2008025963.tif 000005
【図４】
2008025963.tif 000006
【図５】
2008025963.tif 000007